(57)【要約】  本願は、通信方法、ネットワークノード、無線アクセスネットワークシステムを提供する。当該方法は、第1ネットワークノードと第2ネットワークノードを含む無線アクセスネットワークシステムに適用され、第1ネットワークノードは、第1通信インタフェースを介して第2ネットワークノードと通信する。当該方法は、第1ネットワークノードが第1構成情報を第2ネットワークノードから受信するステップであって、第1構成情報が、端末装置のために構成されたサービングセルセットを含み、第1構成情報が二次セルの状態を更に示し、第1構成情報が、第1プロトコル層において第2ネットワークノードにより生成される、ステップと、第1ネットワークノードにより、端末装置に第1構成情報を送信するステップと、第1ネットワークノードにより、端末装置に第1指示情報を送信するステップであって、第1指示情報が、少なくとも1つの二次セルの状態に関する情報を含み、少なくとも1つの二次セルがサービングセルセットに属し、第1指示情報が、第2プロトコル層において第1ネットワークノードにより生成されるステップと、を含む。
2020523895.tif 000002
【特許請求の範囲】
【請求項１】
通信方法であって、前記方法が、第1ネットワークノードと第2ネットワークノードとを含む無線アクセスネットワークシステムに適用され、前記第1ネットワークノードが、第1通信インタフェースを介して前記第2ネットワークノードと通信し、前記方法は、
前記第1ネットワークノードにより、前記第2ネットワークノードから第1構成情報を受信するステップであって、前記第1構成情報は、端末装置のために構成されたサービングセルセットを含み、前記サービングセルセットは、少なくとも1つの二次セルを含み、前記第1構成情報は、前記少なくとも1つの二次セルの状態をさらに示し、前記少なくとも1つの二次セルの前記状態は、アクティブ状態又は非アクティブ状態であり、前記第1構成情報は、第1プロトコル層において前記第2ネットワークノードにより生成される、ステップと、
前記第1ネットワークノードにより、前記端末装置に前記第1構成情報を送信するステップと、
前記第1ネットワークノードにより、前記端末装置に第1指示情報を送信するステップであって、前記第1指示情報は、少なくとも1つの第1の二次セルの状態に関する情報を含み、前記少なくとも1つの第1の二次セルは、前記サービングセルセットに属し、前記第1指示情報は、第2プロトコル層において前記第1ネットワークノードにより生成される、ステップと、
を含む方法。
【請求項２】
前記方法が、さらに、
前記第1ネットワークノードにより、前記第2ネットワークノードにより送信された第2指示情報を受信するステップであって、前記第2指示情報は、前記少なくとも1つの第1の二次セルを含む、又は前記少なくとも1つの第1の二次セル及び前記少なくとも1つの第1の二次セルの状態を含む、ステップ、
を含む請求項1に記載の方法。
【請求項３】
前記方法が、さらに、
前記第1ネットワークノードにより、前記第1指示情報内の前記少なくとも1つの第1の二次セルの前記状態を決定するステップ、
を含む請求項1に記載の方法。
【請求項４】
前記第1ネットワークノードにより、前記第1指示情報内の前記少なくとも1つの第1の二次セルの前記状態を決定する前記ステップは、
前記第1ネットワークノードにより、測定結果に基づいて、前記第1指示情報内の前記少なくとも1つの第1の二次セルの前記状態を決定するステップであって、前記測定結果は、以下：
前記端末装置からの前記第1プロトコル層の第1測定結果、
前記端末装置からの第3プロトコル層の第2測定結果、
前記端末装置により送信された信号に基づいて前記第1ネットワークノードにより測定することにより取得されたアップリンクチャネルの第3測定結果、
のうちの少なくとも1つを含む、ステップを含む、請求項3に記載の方法。
【請求項５】
第1測定報告が、前記端末装置からの前記第1プロトコル層の前記第1測定結果を含む場合、前記方法は、さらに、
前記第1ネットワークノードにより、前記第2ネットワークノードに、前記端末装置により報告された前記第1測定報告を送信するステップと、
前記第1ネットワークノードにより、前記第2ネットワークノードにより送信された前記第1測定結果を受信するステップであって、前記第1測定結果は、前記第1測定報告に基づいて前記第2ネットワークノードにより決定される、ステップと、
を含む請求項4に記載の方法。
【請求項６】
前記方法は、さらに、
前記第1ネットワークノードにより、前記第2ネットワークノードから第2構成情報を受信するステップであって、前記第2構成情報は、前記端末装置のために前記第2ネットワークノードにより構成された前記サービングセルセットの二次セル識別情報及び二次セルインデックスを含む、ステップ、
を含む請求項1〜5のいずれか一項に記載の方法。
【請求項７】
前記第2構成情報は、前記少なくとも1つの二次セルの前記状態をさらに示し、前記少なくとも1つの二次セルの前記状態は、前記アクティブ状態又は前記非アクティブ状態である、請求項6に記載の方法。
【請求項８】
前記方法は、さらに、
前記第1ネットワークノードにより、前記第2ネットワークノードに第3構成情報を送信するステップであって、前記第3構成情報は、前記第2ネットワークノードに対して、前記端末装置のために構成された前記サービングセルセットを示すために使用され、前記第3構成情報は、前記少なくとも1つの二次セルの前記状態をさらに示し、前記少なくとも1つの二次セルの前記状態は、前記アクティブ状態又は前記非アクティブ状態である、ステップ、
を含む請求項1〜5のいずれか一項に記載の方法。
【請求項９】
前記方法は、さらに、
前記第1ネットワークノードにより、第3指示情報を前記第2ネットワークノードに送信するステップであって、前記第3指示情報は、前記第1指示情報内にある前記少なくとも1つの第1の二次セル及び前記少なくとも1つの第1の二次セルの前記状態を前記第2ネットワークノードに通知するために使用される、ステップ、
を含む請求項1〜8のいずれか一項に記載の方法。
【請求項１０】
少なくとも前記第1プロトコル層は前記第2ネットワークノードに配備され、少なくとも前記第2プロトコル層及び前記第3プロトコル層は前記第1ネットワークノードに配備され、
前記第1プロトコル層は無線リソース制御RRC層であり、前記第2プロトコル層は媒体アクセス制御MAC層であり、前記第3プロトコル層は物理PHY層である、
請求項1〜9のいずれか一項に記載の方法。
【請求項１１】
通信方法であって、前記方法が、第1ネットワークノードと第2ネットワークノードとを含む無線アクセスネットワークシステムに適用され、前記第1ネットワークノードが、第1通信インタフェースを介して前記第2ネットワークノードと通信し、前記方法は、
前記第2ネットワークノードにより、第1構成情報を前記第1ネットワークノードに送信するステップであって、前記第1構成情報は、端末装置のために構成されたサービングセルセットを含み、前記サービングセルセットは、少なくとも1つの二次セルを含み、前記第1構成情報は、前記少なくとも1つの二次セルの状態をさらに示し、前記少なくとも1つの二次セルの前記状態は、アクティブ状態又は非アクティブ状態であり、前記第1構成情報は、第1プロトコル層において前記第2ネットワークノードにより生成される、ステップと、
前記第2ネットワークノードにより、前記第1ネットワークノードに第2構成情報を送信するステップであって、前記第2構成情報は、前記端末装置のために前記第2ネットワークノードにより構成された前記サービングセルセットの二次セル識別情報及び二次セルインデックスを含む、ステップと、
を含む方法。
【請求項１２】
前記第2構成情報は、前記少なくとも1つの二次セルの前記状態をさらに示し、前記少なくとも1つの二次セルの前記状態は、前記アクティブ状態又は前記非アクティブ状態である、請求項11に記載の方法。
【請求項１３】
前記方法は、さらに、
前記第2ネットワークノードにより、測定結果に基づいて前記サービングセルセットを決定するステップ、
を含む請求項11又は12に記載の方法。
【請求項１４】
前記測定結果は、以下：
前記端末装置からの前記第1プロトコル層の第1測定結果、
前記端末装置からの第3プロトコル層の第2測定結果、
前記第1ネットワークノードにより報告される、前記端末装置により送信された信号に基づいて測定することにより取得されたアップリンクチャネルの第3測定結果、
のうちの少なくとも1つを含む、請求項13に記載の方法。
【請求項１５】
前記測定結果が、前記端末装置により報告された前記第3プロトコル層の前記第2測定結果を含む場合、前記方法は、さらに、
前記第2ネットワークノードにより、前記第1ネットワークノードにより送信された前記第2測定結果を受信するステップであって、前記第2測定結果は、前記端末装置により報告された前記第3プロトコル層の測定報告に基づいて前記第1ネットワークノードにより決定される、ステップ、
を含む請求項14に記載の方法。
【請求項１６】
少なくとも前記第1プロトコル層は前記第2ネットワークノードに配備され、少なくとも第2プロトコル層及び前記第3プロトコル層は前記第1ネットワークノードに配備され、
前記第1プロトコル層は無線リソース制御RRC層であり、前記第2プロトコル層は媒体アクセス制御MAC層であり、前記第3プロトコル層は物理PHY層である、
請求項11〜15のいずれか一項に記載の方法。
【請求項１７】
ネットワークノードであって、
コンピュータプログラムを記憶するように構成されたメモリと、
前記ネットワークノードが請求項1〜10のいずれか一項に記載の方法を実行するように、前記メモリに記憶された前記コンピュータプログラムを実行するように構成されたプロセッサと、
を含むネットワークノード。
【請求項１８】
ネットワークノードであって、
コンピュータプログラムを記憶するように構成されたメモリと、
前記ネットワークノードが請求項11〜16のいずれか一項に記載の方法を実行するように、前記メモリに記憶された前記コンピュータプログラムを実行するように構成されたプロセッサと、
を含むネットワークノード。
【請求項１９】
無線アクセスネットワークシステムであって、
少なくとも1つの請求項17に記載のネットワークノードと、
少なくとも1つの請求項18に記載のネットワークノードと、
を含むシステム。
【発明の詳細な説明】
【技術分野】
【０００１】
［関連出願］
本願は、2017年6月16日に中国特許庁に出願され、「COMMUNICATION  METHOD,  NETWORK  NODE,  AND  RADIO  ACCESS  NETWORK  SYSTEM」と題された中国特許出願第201710459213.4号に基づく優先権を主張するものであり、該中国特許出願全体が参照により本明細書に組み込まれている。
【０００２】
［技術分野］
本願は、通信分野に関し、より具体的には、通信方法、ネットワークノード、及び無線アクセスネットワークシステムに関する。
【背景技術】
【０００３】
伝送帯域幅をさらに増加させるために、キャリアアグリゲーション(carrier  aggregation,  CA)技術がロングタームエボリューションアドバンスト(Long  Term  Evolution  Advanced,  LTE‐A)システムに導入された。キャリアアグリゲーションの主な概念は、複数のコンポーネントキャリア(component  carrier,  CC)をより広い帯域幅を有する1つのキャリアに結合して、高速データ伝送をサポートすることである。従来技術では、基地局は、キャリアアグリゲーションを構成し、二次セルのアクティブ/非アクティブ状態を決定し、シグナリングを使用して二次セルのアクティブ/非アクティブ状態を端末装置に通知し得る。
【０００４】
しかしながら、第5世代(fifth  generation,  5G)通信ネットワークの開発は、ネットワークアーキテクチャを変化させる。例えば、互いに分離している、中央ユニット(centralized  unit,  CU)及び分散型ユニット(distributed  unit,  DU)の概念が導入される。言い換えれば、無線アクセスネットワーク装置(例えば、基地局)は、CUとDUの2つの部分に分割される。異なるプロトコル層がCUとDUに配備される。例えば、無線リソース制御(radio  resource  control,  RRC)層がCUに配備され、媒体アクセス制御(media  access  control,  MAC)層、物理(physical,  PHY)層などがDUに配備される。別の例として、5Gネットワークでは、新しい中継ノードのための新しい技術も開発された。例えば、レイヤ2(例えば、無線リンク制御(radio  link  control,  RLC)層とMAC層を含む)とレイヤ1(例えば、PHY層を含む)のプロトコルスタックアーキテクチャだけが中継ノードに配備され、レイヤ2の上にあるRRC層のようなプロトコルスタックは配備されない。従って、ホスト基地局により生成されたデータ又はシグナリングは、中継ノードにより端末装置に転送される必要がある。
【０００５】
元のキャリアアグリゲーション構成法は、もはや新しいネットワークアーキテクチャには適用できない。新しいネットワークアーキテクチャにおける端末装置に対するキャリアアグリゲーションの設定方法は、緊急に解決されるべき技術的課題となっている。
【発明の概要】
【０００６】
本願は、通信方法、ネットワークノード、及び無線アクセスネットワークシステムを提供し、キャリアアグリゲーションが新しいネットワークアーキテクチャの端末装置に対して構成できるようにする。
【０００７】
第1の態様によれば、通信方法が提供される。方法は、第1ネットワークノードと第2ネットワークノードを含む無線アクセスネットワークシステムに適用され、第1ネットワークノードは、第1通信インタフェースを介して第2ネットワークノードと通信し、方法は、第1ネットワークノードにより、第2ネットワークノードから第1構成情報を受信するステップであって、第1構成情報は、端末装置のために構成されたサービングセルセットを含み、サービングセルセットは、少なくとも1つの二次セルを含み、第1構成情報は、さらに、二次セルの状態を示し、二次セルの状態は、アクティブ状態又は非アクティブ状態であり、第1構成情報は、第1プロトコル層において、第2ネットワークノードにより生成される、ステップと、
第1ネットワークノードにより、端末装置に第1構成情報を送信するステップと、
第1ネットワークノードにより、端末装置に第1指示情報を送信するステップであって、第1指示情報は、少なくとも1つの第1の二次セルの状態に関する情報を含み、少なくとも1つの第1の二次セルは、サービングセルセットに属し、第1指示情報は、第2プロトコル層において第1ネットワークノードにより生成される、ステップと、を含む。
【０００８】
第1指示情報に含まれる少なくとも1つの第1の二次セルは、第1構成情報内のサービングセルセットのサブセットであってよく、又はサービングセルセット内の全ての二次セルであってよい。これは、本願において特に限定されない。
【０００９】
可能な設計では、第1指示情報は、サービングセルセット内の全ての二次セルを含んでよく、各二次セルの状態を示すために使用される。別の可能な設計では、第1指示情報は、サービングセルセット内の幾つかの二次セルを含んでよく、二次セルの各々の状態を示すために使用される。別の可能な設計では、第1指示情報は、サービングセルセット内の幾つかの二次セルを含んでよく、幾つかの二次セルは、第1ネットワークノード又は第2ネットワークノードにより決定され、アクティブ状態又は非アクティブ状態に設定される。
【００１０】
したがって、本願の本実施形態では、第2ネットワークノードは、第1プロトコル層において第1構成情報を生成し、第1ネットワークノードを使用することにより、端末装置にサービングセルセットを含む第1構成情報を示し、第1ネットワークノードは、第2プロトコル層において第1指示情報を生成し、第1指示情報を送信して、アクティブ/非アクティブ状態に設定された少なくとも1つの第1の二次セルを端末装置に通知する。その結果、端末装置は、第1指示情報を受信した後、少なくとも1つの第1の二次セルの状態を更新し、アクティブな二次セルを使用してデータ送信を行う。従って、キャリアアグリゲーションは、新しいネットワークアーキテクチャにおいて端末装置に対して構成され、これは、端末装置の伝送帯域幅を増加させるのに役立つ。
【００１１】
本願の本実施形態では、サービングセルセットからの少なくとも1つの第1の二次セルは、第1のネットワークノード又は第2のネットワークノードにより決定されてよい。
【００１２】
第2ネットワークノードが少なくとも1つの第1の二次セルの状態を決定する場合、方法は、任意で、さらに、
第1ネットワークノードにより、第2ネットワークノードにより送信された第2指示情報を受信するステップであって、第2指示情報が少なくとも1つの第1の二次セルを含む、又は少なくとも1つの第1の二次セル及び少なくとも1つの第1の二次セルの状態を含む、ステップ、を含む。
【００１３】
換言すれば、少なくとも1つの第1の二次セルを決定した後、第2ネットワークノードは、少なくとも1つの第1の二次セルを第1ネットワークノードに通知するために第2指示情報を送信し、第1ネットワークノードは、第2指示情報に基づいて第1指示情報を生成し、少なくとも1つの第1の二次セルのアクティブ/非アクティブ状態を端末装置に通知する。
【００１４】
第1ネットワークノードが、少なくとも1つの第1の二次セルの状態を決定する場合、任意で、方法は、さらに、
第1ネットワークノードにより、測定結果に基づいて、サービングセルセットからの少なくとも1つの第1の二次セルの状態を決定するステップを含み、測定結果は、以下の少なくとも1つを含む：
端末装置からの第1プロトコル層の第1測定結果、
端末装置からの第3プロトコル層の第2測定結果、
端末装置により送信された信号に基づいて第1ネットワークノードにより測定することにより取得されたアップリンクチャネルの第3測定結果。
【００１５】
第1ネットワークノードは、サービングセルセットからの少なくとも1つの第1の二次セルの状態を決定する。その結果、第1指示情報は決定の結果に基づいて直接生成できる。これは比較的簡単で便利である。
【００１６】
測定結果に基づいて少なくとも1つの第1の二次セルの状態を決定することは、可能な実装である。しかしながら、これは、本願において提供される可能な実装にすぎず、本願に対する制限を構成しないものと理解されるべきである。
【００１７】
さらに、上述の測定結果は、例示的な説明のためにのみ使用されるものであり、本願に対する制限を構成するものではないことを理解されたい。
【００１８】
本願では、異なるプロトコル層が、第1ネットワークノードと第2ネットワークノードに別々に配置されてよい。可能な実装では、少なくとも第1プロトコル層は第2ネットワークノードに配置され、少なくとも第2プロトコル層と第3プロトコル層は第1ネットワークノードに配置される。
【００１９】
例えば、第1プロトコル層は無線リソース制御(radio  resource  control,  RRC)層であってよく、第2プロトコル層は媒体アクセス制御(media  access  control,  MAC)層であってよく、第3プロトコル層は物理(physical,  PHY)層であってよい。
【００２０】
上述の第1プロトコル層、第2プロトコル層、及び第3プロトコル層は、単に説明のために使用されるに過ぎず、本願に対する制限を構成しないことを理解されたい。第1プロトコル層及び第2プロトコル層は、代替的に、既存のプロトコル(例えば、LTEプロトコル)又は将来のプロトコルで定義された他のプロトコル層であってよい。これは、本願において特に限定されない。
【００２１】
任意で、第1ネットワークノードが、端末装置から第1プロトコル層の第1測定報告を受信するとき、第1測定結果は、以下のステップを実行することにより取得されてよい：
第1ネットワークノードにより、第2ネットワークノードに、端末装置により報告された第1測定報告を送信するステップ、
第2ネットワークノードにより、第1測定報告に基づいて第1測定結果を生成するステップ、
第1ネットワークノードにより、第2ネットワークノードにより送信された第1測定結果を受信するステップ。
【００２２】
第1ネットワークノードは、前述の測定結果のうちの少なくとも1つに基づいて、少なくとも1つの第1の二次セルの状態を決定してよい。その結果、決定の精度を向上させることができる。
【００２３】
さらに、任意で、第1指示情報は、第2プロトコル層において第1ネットワークノードにより生成される。
【００２４】
例えば、第1指示情報はMAC制御エレメント(control  element,  CE)内で搬送されてよい。
【００２５】
従って、第1ネットワークノードは、二次セルのアクティブ/非アクティブ状態を示すために、MAC層メッセージを使用して、端末装置に第1指示情報を送信する。これは、構成検証のリアルタイム性能を改善することができる。
【００２６】
本発明の本実施形態では、サービングセルセットは、第1ネットワークノード又は第2ネットワークノードにより決定されてよい。
【００２７】
サービングセルセットが第2ネットワークノードにより決定される場合、方法は、任意で、さらに、
第1ネットワークノードにより、第2構成情報を第2ネットワークノードから受信するステップであって、第2構成情報は、第2ネットワークノードにより端末装置のために構成されたサービングセルセットの二次セル識別情報及び二次セルインデックスを含む、ステップを含む。
【００２８】
任意で、第2構成情報は、さらに、二次セルの状態を示し、二次セルの状態は、アクティブ状態又は非アクティブ状態である。
【００２９】
サービングセルセットが第1ネットワークノードにより決定される場合、方法は、任意で、さらに、
第1ネットワークノードにより、第3構成情報を第2ネットワークノードに送信するステップであって、第3構成情報は、第2ネットワークノードに、端末装置のために構成されたサービングセルセットを示し、第3構成情報はさらに二次セルの状態を示し、二次セルの状態はアクティブ状態又は非アクティブ状態である、ステップを含む。
【００３０】
任意で、本方法は、さらに、
第1ネットワークノードにより測定結果に基づいてサービングセルセットを決定するステップを含む。
【００３１】
測定結果の具体的な内容は、前述の説明で詳細に説明されている。反復を回避するために、詳細は、ここでは再度説明されない。
【００３２】
任意で、本方法は、さらに、
第1ネットワークノードにより、第3指示情報を第2ネットワークノードに送信するステップであって、第3指示情報が、第1指示情報内にある少なくとも1つの第1の二次セル及び少なくとも1つの第1の二次セルの状態を第2ネットワークノードに通知するために使用される、ステップを含む。
【００３３】
換言すれば、端末装置のための少なくとも1つの第1の二次セルの状態を決定した後、第1ネットワークノードは、少なくとも1つの第1の二次セルの状態を第2ネットワークノードに通知してよい。その結果、第2ネットワークノードは、端末装置の少なくとも1つの第1の二次セルのアクティブ/非アクティブ状態を維持する。
【００３４】
任意で、第2構成情報及び第2指示情報は、同じメッセージ内で搬送される。
【００３５】
任意で、第2構成情報、第2指示情報、及び第3指示情報はすべて、第1通信インタフェースによりサポートされるプロトコルに基づいて第2ネットワークノードにより生成される。
【００３６】
本願では、第1通信インタフェースはF1インタフェースであってよく、上述の全ての情報は、F1インタフェース制御プレーン(F1CPと称する)メッセージ内で搬送されてよく、さらに、F1インタフェース制御プレーンメッセージは、F1APメッセージであり、又は、F1インタフェースユーザプレーン(F1UPと称する)メッセージ内で搬送されてよい。
【００３７】
任意で、F1インタフェース制御プレーンメッセージはSCTPのトランスポート層プロトコルで搬送され、F1インタフェースユーザプレーンメッセージはGTP-Uのトランスポート層プロトコルで搬送される。
【００３８】
本願では、第2ネットワークノードは、RRCメッセージを使用することにより、端末装置にサービングセルセットを示してよい。二次セル識別情報、二次セルインデックス、二次セル周波数情報の間の1対1のマッピング関係は、RRCメッセージ内で搬送される第1構成情報に記録される。その結果、端末装置は1対1のマッピング関係を記憶する。第1ネットワークノードは、MAC  CEを使用することにより、端末装置に設定されたサービングセルセット内の少なくとも1つの第1の二次セルの状態を示してよい。MAC  CEで搬送される第1指示情報は、二次セルインデックス情報及び二次セル状態情報を搬送する。その結果、端末装置は、二次セル識別情報、二次セルインデックス及び二次セル周波数情報の間の予め記憶された1対1のマッピング関係に基づいて、対応する周波数で対応する二次セルを検出する。第2ネットワークノードは、予めRRCメッセージを用いて、二次セル識別情報、二次セルインデックス、二次セル周波数情報の1対1のマッピング関係を通知し、次に、第1ネットワークノードは、二次セルインデックスを用いて、MAC  CEにおいて、アクティブ状態に設定された二次セルを示す。その結果、MAC  CEにおける第1指示情報のオーバーヘッドを低減できる。また、端末装置は、MAC  CEを用いて、少なくとも1つの第1の二次セルの状態を通知され、これは、構成検証のリアルタイム性能を向上させることができる。換言すれば、二次セルは、現在のネットワーク状態に基づいて、リアルタイムで端末装置に対して構成することができる。従って、端末装置の伝送帯域幅をさらに改善することができる。
【００３９】
第2の態様によれば、通信方法が提供される。方法は、第1ネットワークノードと第2ネットワークノードを含む無線アクセスネットワークシステムに適用され、第1ネットワークノードは、第1通信インタフェースを介して第2ネットワークノードと通信する。方法は、第2ネットワークノードにより第1構成情報を第1ネットワークノードに送信するステップであって、第1構成情報は、端末装置のために構成されたサービングセルセットを含み、サービングセルセットは、少なくとも1つの二次セルを含み、第1構成情報は、二次セルの状態をさらに示し、二次セルの状態は、アクティブ状態又は非アクティブ状態であり、第1構成情報は、第1プロトコル層において第2ネットワークノードにより生成される、ステップと、
第2ネットワークノードにより、第2構成情報を第1ネットワークノードに送信するステップであって、第2構成情報は、第2ネットワークノードにより端末装置のために構成されたサービングセルセットの二次セル識別情報及び二次セルインデックスを含む、ステップと、を含む。第1指示情報に含まれる少なくとも1つの第1の二次セルは、第1構成情報内のサービングセルセットのサブセットであってよく、又はサービングセルセット内の全ての二次セルであってよい。これは、本願において特に限定されない。
【００４０】
可能な設計では、第1指示情報は、サービングセルセット内の全ての二次セルを含んでよく、各二次セルの状態を示すために使用される。別の可能な設計では、第1指示情報は、サービングセルセット内の幾つかの二次セルを含んでよく、幾つかの二次セルの各々の状態を示すために使用される。さらに別の可能な設計では、第1指示情報は、サービングセルセット内の幾つかの二次セルを含んでよく、幾つかの二次セルは、第1ネットワークノード又は第2ネットワークノードにより決定され、アクティブ状態又は非アクティブ状態に設定される。
【００４１】
したがって、本願の本実施形態では、第2ネットワークノードは、第1プロトコル層において第1構成情報を生成し、第1ネットワークノードを使用して、端末装置にサービングセルセットを含む第1構成情報を示す。第1ネットワークノードは、第2プロトコル層において第1指示情報を生成し、第1指示情報を送信して、アクティブ/非アクティブ状態に設定された少なくとも1つの第1の二次セルを端末装置に通知する。その結果、端末装置は、第1指示情報を受信した後、少なくとも1つの第1の二次セルの状態を更新し、アクティブな二次セルを使用してデータを送信する。従って、キャリアアグリゲーションは、新しいネットワークアーキテクチャにおいて端末装置に対して構成され、これは、端末装置の伝送帯域幅を増加させるのに役立つ。本願の本実施形態では、サービングセルセットからの少なくとも1つの第1の二次セルは、第1のネットワークノード又は第2のネットワークノードにより決定されてよい。
【００４２】
任意で、第2構成情報は、さらに、二次セルの状態を示し、二次セルの状態は、アクティブ状態又は非アクティブ状態である。
【００４３】
本実施形態では、第2ネットワークノードは、少なくとも1つの第1の二次セルの状態を決定する。任意で、方法は、さらに、
第2ネットワークノードにより、測定結果に基づいて、サービングセルセットからの少なくとも1つの第1の二次セルの状態を決定するステップ、を含む。
【００４４】
任意で、測定結果は、以下の少なくとも1つを含む：
端末装置からの第1プロトコル層の第1測定結果、
端末装置からの第3プロトコル層の第2測定結果、
端末装置により送信された信号に基づいて測定することにより取得された、第1ネットワークノードにより報告されるアップリンクチャネルの第3測定結果。
【００４５】
測定結果に基づいて少なくとも1つの第1の二次セルの状態を決定することは、可能な実装である。しかしながら、これは、本願において提供される可能な実装にすぎず、本願に対する制限を構成しないものと理解されるべきである。
【００４６】
さらに、上述の測定結果は、例示的な説明のためにのみ使用されるものであり、本願に対する制限を構成すべきではないことを理解されたい。
【００４７】
本願では、異なるプロトコル層が、第1ネットワークノードと第2ネットワークノードに別々に配置されてよい。可能な実装では、少なくとも第1プロトコル層は第2ネットワークノードに配置され、少なくとも第2プロトコル層と第3プロトコル層は第1ネットワークノードに配置される。
【００４８】
例えば、第1プロトコル層は無線リソース制御(radio  resource  control,  RRC)層であってよく、第2プロトコル層は媒体アクセス制御(media  access  control,  MAC)層であってよく、第3プロトコル層は物理(physical,  PHY)層であってよい。
【００４９】
上述の第1プロトコル層、第2プロトコル層、及び第3プロトコル層は、単に例示的な説明のために使用されるに過ぎず、本願に対する制限を構成しないことを理解されたい。第1プロトコル層及び第2プロトコル層は、代替的に、既存のプロトコル(例えば、LTEプロトコル)又は将来のプロトコルで定義された他のプロトコル層であってよい。これは、本願において特に限定されない。
【００５０】
任意で、第2ネットワークノードは、以下のステップを実行することにより、端末装置から第3プロトコル層の第2測定結果を取得してよい：
第2ネットワークノードにより、第1ネットワークノードにより送信された第2測定結果を受信するステップであって、第2測定結果は、端末装置により報告された第3プロトコル層の測定報告に基づいて第1ネットワークノードにより決定される、ステップ。
【００５１】
第2ネットワークノードは、前述の測定結果のうちの少なくとも1つに基づいて、アクティブ状態に設定された二次セルを決定してよい。その結果、決定の精度を改善することができる。
【００５２】
本発明の本実施形態では、サービングセルセットは、第1ネットワークノード又は第2ネットワークノードにより決定されてよい。
【００５３】
サービングセルセットが第2ネットワークノードにより決定される場合、方法は、任意で、以下をさらに含む：
第2ネットワークノードにより、第2構成情報を第1ネットワークノードに送信するステップであって、第1ネットワークノードは、第2構成情報を使用することにより、端末装置のために第2ネットワークノードにより構成されたサービングセルセットを学習し、第2構成情報は、さらに、二次セルの状態を示し、二次セルの状態は、アクティブ状態又は非アクティブ状態である、ステップ。
【００５４】
任意で、本方法は、さらに、以下を含む：
第2ネットワークノードにより、測定結果に基づいてサービングセルセットを決定するステップ。
【００５５】
測定結果の具体的な内容については、前述の説明の中で詳細に説明されている。反復を回避するために、詳細は、ここでは再度説明されない。
【００５６】
サービングセルセットが第1ネットワークノードにより決定される場合、方法は、任意で、以下をさらに含む：
第2ネットワークノードにより、第1ネットワークノードにより送信された第3構成情報を受信するステップであって、第3構成情報は、第2ネットワークノードに対して、端末装置のために構成されたサービングセルセットを示すために使用され、第3構成情報は、二次セルの状態をさらに示し、二次セルの状態は、アクティブ状態又は非アクティブ状態である、ステップ。
【００５７】
任意で、方法は、さらに、以下を含む：
第2ネットワークノードにより、第1ネットワークノードにより送信された第3指示情報を受信するステップであって、第3指示情報が、第1指示情報内にある少なくとも1つの第1の二次セル及び少なくとも1つの第1の二次セルの状態を第2ネットワークノードに通知するために使用される、ステップ。
【００５８】
換言すれば、少なくとも1つの第1の二次セルの状態を端末装置に通知した後、第1ネットワークノードは、少なくとも1つの第1の二次セルの状態を第2ネットワークノードに通知してよい。その結果、第2ネットワークノードは、端末装置の二次セルのアクティブ/非アクティブ状態を維持する。
【００５９】
任意で、第2構成情報及び第2指示情報は、同じメッセージ内で搬送される。
【００６０】
任意で、第2構成情報、第2指示情報、及び第3指示情報はすべて、第1通信インタフェースによりサポートされるプロトコルに基づいてCUにより生成される。
【００６１】
本願では、第1通信インタフェースはF1インタフェースであってよく、上述の全ての情報は、F1インタフェース制御プレーン(F1CPと称する)メッセージ内で搬送されてよく、さらに、F1インタフェース制御プレーンメッセージは、F1APメッセージであってよく、又は、F1インタフェースユーザプレーン(F1UPと称する)メッセージ内で搬送されてよい。
【００６２】
任意で、F1インタフェース制御プレーンメッセージはSCTPのトランスポート層プロトコルで搬送され、F1インタフェースユーザプレーンメッセージはGTP-Uのトランスポート層プロトコルで搬送される。
【００６３】
本願では、第2ネットワークノードは、RRCメッセージを使用することにより、端末装置にサービングセルセットを示してよい。二次セル識別情報、二次セルインデックス、二次セル周波数情報の間の1対1のマッピング関係は、RRCメッセージ内で搬送される第1構成情報に記録される。その結果、端末装置は1対1のマッピング関係を記憶する。第1ネットワークノードは、MAC  CEを使用して、端末装置にサービングセルセット内の少なくとも1つの第1の二次セルの状態を示してよい。MAC  CEで搬送される第1指示情報は、二次セルインデックスを搬送する。その結果、端末装置は、二次セル識別情報、二次セルインデックス、及び二次セル周波数情報の間の予め記憶された1対1のマッピング関係に基づいて、対応する周波数で対応する二次セルを検出する。第2ネットワークノードは、予めRRCメッセージを使用して、二次セル識別情報、二次セルインデックス、二次セル周波数情報の1対1マッピング関係を通知し、次に、第1ネットワークノードは、二次セルインデックスを使用して、MAC  CEにおいて、アクティブ状態に設定された二次セルを示す。その結果、MAC  CEにおける第1指示情報のオーバーヘッドを低減することができる。一方、端末装置は、MAC  CEを使用することにより、少なくとも1つの第1の二次セルの状態を通知され、これは、構成検証のリアルタイム性能を改善することができる。換言すれば、二次セルは、現在のネットワーク状態に基づいて、リアルタイムで端末装置に対して構成することができる。従って、端末装置の伝送帯域幅をさらに改善することができる。
【００６４】
第3の態様によれば、ネットワークノードが提供される。ネットワークノードは、第1の態様又は第1の態様の可能な実装のいずれか1つにおける通信方法を実行するために、受信モジュール及び送信モジュールを含む。送信モジュールは、送信関連機能を実行するように構成され、受信モジュールは、受信関連機能を実行するように構成される。
【００６５】
第4の態様によれば、ネットワークノードが提供される。ネットワークノードは、トランシーバ、プロセッサ、及びメモリを含む。プロセッサは、信号を送受信するようにトランシーバを制御するように構成される。メモリは、コンピュータプログラムを記憶するように構成される。プロセッサは、メモリからコンピュータプログラムを起動し、コンピュータプログラムを実行するように構成される。その結果、ネットワークノードは、第1の態様又は第1の態様の可能な実装のいずれか1つを実行する。
【００６６】
一設計において、ネットワークノードは通信チップであり、受信ユニットは通信チップの入力回路又はインタフェースであり、送信ユニットは通信チップの出力回路又はインタフェースである。
【００６７】
第5の態様によれば、ネットワークノードが提供される。ネットワークノードは、第2の態様又は第2の態様の可能な実装のいずれか1つを実行するために、受信モジュール及び送信モジュールを含む。送信モジュールは、送信関連機能を実行するように構成され、受信モジュールは、受信関連機能を実行するように構成される。
【００６８】
第6の態様によれば、ネットワークノードが提供される。ネットワークノードは、トランシーバ、プロセッサ、及びメモリを含む。プロセッサは、信号を送受信するようにトランシーバを制御するように構成される。メモリは、コンピュータプログラムを記憶するように構成される。プロセッサは、メモリからコンピュータプログラムを起動し、コンピュータプログラムを実行するように構成される。その結果、ネットワークノードは、第2の態様又は第2の態様の可能な実装のいずれか1つを実行する。
【００６９】
一設計において、ネットワークノードは通信チップであり、受信ユニットは通信チップの入力回路又はインタフェースであり、送信ユニットは通信チップの出力回路又はインタフェースである。
【００７０】
第7の態様によれば、第3の態様又は第4の態様のネットワークノードと、第5の態様又は第6の態様のネットワークノードとを含む、無線アクセスネットワークシステムが提供される。
【００７１】
第8の態様によれば、コンピュータプログラムプロダクトが提供される。コンピュータプログラムプロダクトは、コンピュータプログラムコードを含む。コンピュータプログラムコードがネットワークノードにより実行されると、ネットワークノードは、第1の態様又は第1の態様の可能な実装のいずれか1つの方法を実行する。
【００７２】
第9の態様によれば、コンピュータプログラムプロダクトが提供される。コンピュータプログラムプロダクトは、コンピュータプログラムコードを含む。コンピュータプログラムコードがネットワークノードにより実行されると、ネットワークノードは、第2の態様又は第2の態様の可能な実装のいずれか1つを実行する。
【００７３】
第10の態様によれば、コンピュータ可読媒体が提供される。コンピュータ可読媒体は、プログラムコードを記憶し、プログラムコードは、第1の態様又は第1の態様の可能な実装のいずれか1つの方法を実行するために使用される命令を含む。
【００７４】
第11の態様によれば、コンピュータ可読媒体が提供される。コンピュータ可読媒体は、プログラムコードを記憶する。プログラムコードは、第2の態様又は第2の態様の可能な実装のいずれか1つの方法を実行するために使用される命令を含む。
【００７５】
幾つかの可能な実装では、少なくとも第1プロトコル層は第2ネットワークノードに配置され、少なくとも第2プロトコル層と第3プロトコル層は第1ネットワークノードに配置される。第1プロトコル層は、少なくとも無線リソース管理のために使用されてよく、第2プロトコル層は、媒体内のデータ伝送を制御及び管理するために少なくとも使用されてよく、第3プロトコル層は、少なくとも、データ伝送のための物理リソースを提供するために使用されてよい。
【００７６】
幾つかの可能な実装では、RRC層とPDCP層が第2ネットワークノードに配備され、RLC層、MAC層、PHY層が第1ネットワークノードに配備される。
【００７７】
第1ネットワークノード及び第2ネットワークノードのために配置される前述の説明のためのプロトコル層は、例示的な説明のために使用され、本願に対する制限を構成しないものと理解されるべきである。本願は、既存のプロトコル(例えば、LTEプロトコル)のプロトコル層を置き換えて、将来のプロトコルで別のプロトコル層を定義し、同じ又は類似の機能を実装する可能性を除外しない。
【００７８】
第1ネットワークノード及び第2ネットワークノードのための上述のプロトコルスタック構造は、単に説明のために使用されるに過ぎず、本願に対する制限を構成しないことを理解されたい。本願は、既存のプロトコル(例えば、LTEプロトコル)のプロトコル層を置き換えて、将来のプロトコルで別のプロトコル層を定義し、同じ又は類似の機能を実装する可能性を除外しない。さらに、本願は、既存のプロトコルのプロトコル層を置き換えるために、将来のプロトコルにおいてより多くの、又はより少ないプロトコル層を定義する可能性も除外しない。
【００７９】
幾つかの可能な実装では、測定報告は少なくとも以下の1つを含む:
基準信号受信電力(reference  signal  received  power,  RSRP)、基準信号受信品質(reference  signal  received  quality,  RSRQ)、信号対雑音比(signal-to-noise  ratio,  SNR)、信号対干渉プラス雑音比(signal  to  interference  plus  noise  ratio,  SINR)、チャンネル状態情報(channel  state  information,  CSI)、チャンネル品質インジケータ(channel  quality  indicator,  CQI)、プリコーディングマトリックスインジケータ(precoding  matrix  indicator,  PMI)、ランクインジケータ(rank  indication,  RI)。
【００８０】
任意で、測定報告は、セル(cell)ベース又はビーム(beam)ベースであってよい。
【００８１】
幾つかの可能な実装では、第2構成情報は、候補二次セルセットを示す。
【００８２】
限定ではなく例として、第2構成情報は、以下の少なくとも1つを含む：
端末装置識別情報、一次セル識別情報、二次セル識別情報、二次セルインデックス、二次セル周波数情報。
【００８３】
限定ではなく例として、端末装置識別情報は、C-RNTI又はUE  IDを含み、一次セル識別情報は、無線アクセスネットワークセルグローバル識別子又は物理セル識別子(physical  cell  identifier,  PCI)を含み、二次セル識別情報は、無線アクセスネットワークセルグローバル識別子又はPCIの少なくとも1つを含む。
【００８４】
幾つかの可能な実装では、第2構成情報は、プロトコルスタック関連の構成情報をさらに含む。
【００８５】
幾つかの可能な実装では、第1構成情報は、候補二次セルセットを示す。
【００８６】
限定ではなく例として、第1構成情報は、二次セル識別情報、二次セルインデックス、及び二次セル周波数情報のうちの少なくとも1つを含む。二次セル識別情報は、無線アクセスネットワークセルグローバル識別子又はPCIの少なくとも1つを含む。
【００８７】
本願によれば、第2ネットワークノードは、第1プロトコル層において第1構成情報を生成し、第1ネットワークノードは、サービングセルセットを含む第1構成情報を端末装置に送信し、第1ネットワークノードは、第2プロトコル層において第1指示情報を送信して、アクティブ/非アクティブ状態に設定された少なくとも1つの第1の二次セルを端末装置に通知する。その結果、キャリアアグリゲーションが端末装置に設定される。従って、キャリアアグリゲーションは、新しいネットワークアーキテクチャにおいて端末装置に対して実現することができ、これは、より大きな伝送帯域幅を端末装置に提供するのに役立つ。
【図面の簡単な説明】
【００８８】
【図１】LTEにおけるプロトコルスタック構造の概略図である。
【００８９】
【図２】本願の実施形態における通信方法に適用可能な通信システムの概略図である。
【００９０】
【図３Ａ】プロトコルスタック構造を分割する概略図である。
【図３Ｂ】プロトコルスタック構造を分割する概略図である。
【００９１】
【図４】本願に係るネットワーク装置の可能なプロトコルスタック構造の概略図である。
【００９２】
【図５】本願の一実施形態による通信方法の概略フローチャートである。
【００９３】
【図６】本願の別の実施形態による通信方法の概略フローチャートである。
【００９４】
【図７】本願のさらに別の実施形態による通信方法の概略フローチャートである。
【００９５】
【図８】本願の一実施形態によるネットワークノードの概略ブロック図である。
【００９６】
【図９】本願の一実施形態によるネットワークノードの別の概略ブロック図である。
【００９７】
【図１０】本願の一実施形態によるネットワークノードの概略ブロック図である。
【００９８】
【図１１】本願の一実施形態によるネットワークノードの別の概略ブロック図である。
【００９９】
【図１２】本願の一実施形態による無線アクセスネットワークシステムの概略ブロック図である。
【発明を実施するための形態】
【０１００】
添付の図面を参照して、本願の技術的ソリューションを以下に記載する。
【０１０１】
本願の理解を容易にするために、LTEにおけるプロトコルスタック構造を、図1を参照して最初に簡単に説明する。図1は、LTEシステムにおけるプロトコルスタック構造の概略図である。図に示すように、LTEにおける現在のプロトコルスタック構造は、上から下へ、RRC層、PDCP層、RLC層、MAC層、及びPHY層の5つのプロトコル層を含んでよい。任意の層(例えば、プロトコル層Aとして示され、プロトコル層Aは、送信端末装置のRRC層、PDCP層、RLC層、MAC層、及びPHY層のいずれかであり得ることが理解され得る)で生成される信号は、下位プロトコル層により処理される必要があり、最終的に、物理チャネルを介して受信端末装置に送信される。図中の曲線で示されるように、これに対応して、物理チャネルを介して受信端末装置により受信された信号も、PHY層及びPHY層より上のプロトコル層により処理される必要あり、信号内の情報は、信号がプロトコル層Aに到達した後にのみ受信端末により得ることができる。
【０１０２】
しかしながら、5Gネットワークにおけるプロトコル層分割は、まだ議論中であり、図1に示されるプロトコルスタックは、最適化され得る。例えば、複数のプロトコル層が結合されるか、又は新しいプロトコル層が追加される。また、元のアクセスネットワークにおける基地局の機能が分割される。従って、既存のキャリアアグリゲーション構成方式は、端末装置のための二次セルを構成するために連続的に使用されないことがある。
【０１０３】
これを考慮して、本願は、5Gの新しいネットワークアーキテクチャに基づいて端末装置のためのキャリアアグリゲーションを構成するための通信方法を提供する。
【０１０４】
本願の通信方法の理解を容易にするために、以下は、図2を参照して、本願の本実施形態における通信方法に適用可能な通信システムを詳細に説明する。図2は、本願の本実施形態における通信方法に適用可能な通信システム200の概略図である。
【０１０５】
図2に示すように、通信システム200は、アクセスネットワークシステム210及び端末装置220を含む。5Gシステムでは、アクセスネットワークシステム210に対してCU-DUアーキテクチャが使用されてよい。具体的には、アクセスネットワークシステム210は、少なくとも1つのCU211及び少なくとも1つのDU212を含んでよく、少なくとも1つのDU212は、1つのCU211に接続されてよい。CU211とDU212との間には、通信インタフェース(識別及び説明を容易にするために第1通信インタフェースとして示されてよい)が構成される。CU211は、第1通信インタフェースを介してDU212と通信してよい。DU212は、無線インタフェースを介して端末装置220と通信することができる。
【０１０６】
CUは、集中的方法で配置されてよく、実際のネットワーク環境に応じて、比較的高いトラフィック密度、比較的小さいサイト間距離、及び限定された設備空間リソースを有する都心エリア、例えば大学キャンパス及び大きな公演会場に配置され得る。DUも集中的方法で配置されてよい。しかし、例えば郊外の郡や山岳地帯のように、交通量が比較的少なく、サイト間距離が比較的長い地域では、DUは分散配置されてよい。これは、本願において特に限定されない。
【０１０７】
図2のアクセスネットワークシステム210の機能は、LTEシステムの基地局の機能と同様であってよい。具体的には、LTEシステム内の基地局の幾つかの機能はCU211内に配置されてよく、残りの機能はDU212内に配置されてよい。しかしながら、CU211及びDU212の機能は、LTEシステムにおける基地局の機能に限定されない。5Gネットワークの進化に伴い、基地局の機能は変化し得る。例えば、他のネットワーク機能が追加されたり、幾つかの既存の機能が改善されたり、又は不要な機能が削除されてよい。これは、本願において特に限定されない。
【０１０８】
CU及びDUのための上記の機能区分は、単に、例えば、説明のために使用されるに過ぎず、本願に対する制限を構成しないことを理解されたい。例えば、代替として、CUは、無線アクセスネットワークシステムの上位層プロトコルスタックの幾つかの機能及びコアネットワークの幾つかの機能を含んでよく、DUは、PHY層及びMAC層の幾つかの機能を含んでよい。
【０１０９】
図2は、単に簡略化された概略図であり、理解を容易にするための例として使用されることをさらに理解すべきである。通信システム200は、さらに、図2に示されていない他のネットワーク装置及び／又は端末装置を含んでよい。図1に示すプロトコルスタック構造を再び参照すると、CUは、無線リソース及び接続に関する集中管理及び制御を担当するように構成され、又は、より具体的には、RRC層又はPDCP層などの無線上位層プロトコルスタックの機能を処理するように構成されてよい。DUは、主に、PHY層機能及び比較的高いリアルタイム性要求を有する機能を処理するように構成され、又はより具体的には、RLC層、MAC層、及びPHY層のような下位層プロトコルスタックの機能を処理するように構成されてよい。
【０１１０】
図1のプロトコルスタック構造を参照すると、プロトコル層は分割されてよい。
【０１１１】
図3A及び図3Bは、プロトコルスタック構造を分割する概略図である。図3A及び図3Bに示すように、CU-DUアーキテクチャのプロトコル層は、RRC層、PDCP層、RLC層の上層部分、RLC層の下層部分、MAC層の上層部分、MAC層の下層部分、PHY層の上層部分、及びPHY層の下層部分を含んでよい。RLC層、MAC層、及びPHY層は別々に分割される。プロトコル層でのリアルタイム性要求が低い機能は、プロトコル層の上層部分に配置され、プロトコル層でのリアルタイム性要求が高い機能は、プロトコル層の下層部分に配置される。
【０１１２】
CU-DU機能は、複数の方法で分割されてよい。例えば、以下の7つの分割方法が含まれてよい。
【０１１３】
分割方法1:RRC層とPDCP層との間で分割を行う。具体的には、RRC層はCUに配置され、PDCP層とPDCP層の下のプロトコル層はDUに配置される。
【０１１４】
分割方法2:PDCP層とRLC層との間で分割を行う。具体的には、RRC層とPDCP層がCUに配置され、RLCプレイヤの上層部分とRLCプレイヤの上層部分より下のプロトコル層がDUに配置される。
【０１１５】
分割方法3:RLC層は2つの部分に分割される。RLC層の上層部分にはリアルタイム性の低い機能が配置され、RLC層の下層部分にはリアルタイム性の高い機能が配置される。RLC層上層部分とRLC層下層部分との間で分割を行う。具体的には、RLC層上層部分とRLC層より上のプロトコル層がCUに配置され、RLC層下層部分とRLC層より下のプロトコル層がDUに配置される。
【０１１６】
分割方法4:RLC層とMAC層との間で分割を行う。具体的には、RLC層とRLC層より上のプロトコル層はCUに配置され、MAC層とMAC層より下のプロトコル層はDUに配置される。
【０１１７】
分割方法5:MAC層は、2つの部分に分割される。リアルタイム性要求の低い機能はMAC層上層部分に配置され、リアルタイム性要求の高い機能はMAC層下層部分に配置される。MAC層上層部分とMAC層下層部分との間で分割を行う。具体的には、MAC層上層部分とMAC層より上のプロトコル層がCUに配置され、MAC層下層部分とMAC層より下のプロトコル層がDUに配置される。
【０１１８】
分割方法6:MAC層とPHY層との間で分割を行う。具体的には、MAC層とMAC層より上のプロトコル層はCUに配置され、PHY層とRFはDUに配置される。
【０１１９】
分割方法7:PHY層は2つの部分に分割される。PHY層上層部分にはリアルタイム性要求の低い機能が配置され、PHY層下層部分にはリアルタイム性要求の高い機能が配置される。PHY層上層部分とPHY層下層部分との間で分割を行う。具体的には、PHY層の上層部分とPHY層より上のプロトコル層がCUに配置され、PHY層下層部分及びRFがDUに配置される。
【０１２０】
さらに、無線周波数(Radio  Frequency,  RF)と前述のプロトコル層との間で分割が行われてよい。すなわち、第8の分割方法がさらに含まれてよく、PHY層下層部分とRFとの間で分割を行う。具体的には、PHY層とPHY層より上のプロトコル層はCUに配置され、RFはDUに配置される。言い換えると、送信アンテナのみがDUに配備され、全てのプロトコル層はCUに配備される。
【０１２１】
図4は、本願によるネットワーク装置の可能なプロトコルスタック構造の概略図である。図4に示すように、可能なプロトコルスタック構造は、以下の通りである：RRC層及びPDCP層がCU内に配置され、RLC層、MAC層、及びPHY層がDU内に配置される。さらに、新しい機能、例えば、QoS管理又はユーザデータの収束及び識別のような機能を実行するために、新しいプロトコル層が将来の移動通信システムに導入されてよい。SDAP(Service  Data  Adaptation  Protocol,  サービスデータアダプテーションプロトコル)層が例として使用され、新しいプロトコル層はPDCP層より上に配置され、CUに配置されてよい。プロトコルスタック構造では、新しいプロトコル層が代替としてDU内に配置されてよいことに注意すべきである。例えば、新しいプロトコル層がRLC層より上に配置されるか、新しいプロトコル層がRLC層とMAC層の間に配置される。これは、本願において特に限定されない。新しいプロトコル層は、データのみを処理するために使用されるユーザプレーンプロトコル層であってよい。あるいは、新しいプロトコル層は、信号処理、例えばRRCメッセージを処理するために使用される制御プレーンプロトコル層であってよい。あるいは、新しいプロトコル層は、制御プレーン及びデータプレーンの両方に使用され、信号及びデータを処理するために使用される。これは、本願において特に限定されない。
【０１２２】
CU及びDUによるアップリンク又はダウンリンクRRCメッセージ又はデータの処理は、図4に例示するプロトコルスタック構造を用いて別個に説明される。
【０１２３】
ダウンリンクRRCメッセージ又はデータに対して、CUは、RRCメッセージ又はデータを生成し、PDCPプロトコルデータユニット(protocol  data  unit,  PDU)(すなわち、RLCサービスデータユニット(service  data  unit,  SDU))を得るために、PDCP層でRRCメッセージ又はデータを処理する。CUは、CUとDUとの間の通信インタフェース(例えば、F1通信インタフェース、すなわち、第1通信インタフェースの一例)を介して、PDCP  PDUをDUに送信する。DUはさらに、RLC層、MAC層、及びPHY層でPDCP  PDUを処理し、最後に処理されたPDCP  PDUを送信のためにRFを介して無線チャネルに送信する。
【０１２４】
アップリンクRRCメッセージ又はデータに対して、DUは、無線周波数機器を使用してデータパケットを受信し、データパケットをPHY層、MAC層、及びRLC層で連続的に処理し、次にCUとDUとの間のF1インタフェースを介してRLC  SDU(すなわちPDCP  PDU)をCUに送信する。CUはさらに、RRCメッセージ又はデータを得るためにPDCP層でRLC  SDUを処理し、RRCメッセージ又はデータをRRC層(RRCメッセージの場合)又はアプリケーション層(データの場合)に送信する。
【０１２５】
F1通信インタフェースは、制御プレーン(control  plane,  CP)とユーザプレーン(user  plane,  UP)を含む。制御プレーンのトランスポート層プロトコルは、ストリーム制御伝送プロトコル(stream  control  transmission  protocol,  SCTP)であってよい。ユーザプレーンのトランスポート層プロトコルは、ユーザプレーンのGPRS(General  Packet  Radio  Service、汎用パケット無線サービス)トンネルプロトコル(GPRS  Tunneling  Protocol  for  the  User  plane,  GTP-U)である。トランスポート層の上位層(すなわちアプリケーション層)のシグナリングプロトコルは、F1アプリケーションプロトコル(F1  application  protocol,  F1AP)であってよい。
【０１２６】
以下の説明の実施形態において、説明を容易にするために、本願の実施形態は、図4のCU-DUプロトコルスタック構造の一例を参照して詳細に説明される。しかしながら、プロトコルスタック構造は、単に、例示的な説明のために使用されるに過ぎず、本願に対する制限を構成しないことを理解されるべきである。
【０１２７】
さらに、図3A、図3B、及び図4を参照して前述の説明に示されたCU及びDU機能分割及びプロトコル層構造は、単に説明のために使用されるに過ぎず、本願に対するいかなる制限も構成しないことを理解されたい。通信技術の進化に伴い、ネットワーク機器のプロトコル層機能、ネットワーク機器の命名方法、メッセージ内容、メッセージ名がLTEプロトコルで定義されているものとは異なることがある。例えば、LTEシステムにおけるRLC層の再順序付け機能は、PDCP層に移動され得る。別の例として、LTEシステムのRRCメッセージは別の名前に置き換えられてよい。本願は、CUとDUに配備されたプロトコル層、プロトコル層機能、プロトコル層名、プロトコル層メッセージ名に制限を課さない。
【０１２８】
さらに、CU-DUアーキテクチャは、本願における新しい5Gネットワークアーキテクチャの可能な例として単に使用されるに過ぎず、本願の技術的ソリューションは、別のネットワークアーキテクチャを有する無線アクセスネットワークシステムにも適用可能であることを理解されたい。無線アクセスネットワークシステムは、第1ネットワークノードと第2ネットワークノードを含む。第1ネットワークノードは、少なくとも第1プロトコル層を有する。第2ネットワークノードは、少なくとも第2プロトコル層を有しているが、第1プロトコル層を有していない。第1プロトコル層は、例えば、RRC層、RRC層の幾つかの機能、PDCP層、PDCP層の幾つかの機能、SDAP層、SDAP層の幾つかの機能、RLC層、RLC層の幾つかの機能、適応層(例えば、QoS管理機能又はユーザデータ収束及び識別機能を有するプロトコル層)、又は適応層の幾つかの機能であり得る。第2プロトコル層は、例えば、物理層、物理層の幾つかの機能、MAC層、MAC層の幾つかの機能、RLC層、RLC層の幾つかの機能、適応層、又は適応層の幾つかの機能であり得る。さらに、F1インタフェースは、第1通信インタフェースの一例に過ぎないことを理解されたい。第1通信インタフェースは、有線インタフェースであってよく、又は、無線インタフェース、例えば、ホスト基地局と中継局との間又は2つの中継局との間の無線伝送インタフェースであってよい。
【０１２９】
さらに、本願の技術的ソリューションは、あらゆる種類の通信システム、例えば、移動通信のためのグローバルシステム(Global  System  for  Mobile  communications,  GSM)システム、符号分割多元接続(Code  Division  Multiple  Access,  CDMA)システム、広帯域符号分割多元接続(Wideband  Code  Division  Multiple  Access,  WCDMA)システム、汎用パケット無線サービス(General  Packet  Radio  Service,  GPRS)システム、ロングタームエボリューション(LTE)システム、ロングタームエボリューションアドバンスト(LTE-A)システム、ユニバーサル移動通信システム(Universal  Mobile  Telecommunication  System,  UMTS)、又は次世代通信システム(例えば、5Gシステム)に適用され得ることを理解されたい。5Gシステムは、新無線アクセス技術(new  radio  access  technology,  NR)システムとも呼ばれる。
【０１３０】
また、本願の実施形態における通信方法は、無線アクセスネットワークシステム及び端末装置を参照して本願に記載される。
【０１３１】
無線アクセスネットワークシステム(すなわち、ノード(Node))は、1つ以上のセクタを使用することにより、アクセスネットワーク上の無線インタフェースを介して無線端末と通信する装置を含んでよい。無線アクセスネットワークシステムは、受信した無線フレームとインターネットプロトコル(Internet  Protocol,  IP)パケットとの間の変換を実行し、端末装置とアクセスネットワークの他の部分との間のルータとして機能するように構成されてよい。アクセスネットワークの残りの部分は、IPネットワークを含んでよい。無線アクセスネットワークシステムは、無線インタフェースのための属性管理をさらに調整してよい。
【０１３２】
本願の無線アクセスネットワークシステムは、GSMシステム又はCDMAシステムの基地トランシーバ局(Base  Transceiver  Station,  BTS)、WCDMAシステムのノードB(NodeB)、又はLTEシステムの進化型ノードB(evolved  Node  B,  eNodeB,  eNB又はe-NodeB)を含み得ること、又は中継局、アクセスポイント、遠隔無線ユニット(Remote  Radio  Unit,  RRU)、車載装置、ウェアラブル装置、及び5Gシステム及び将来の無線通信システムの無線アクセスネットワーク(radio  access  network,  RAN)装置、例えば、基地局、gNB、NR  Node、NR  BS、新RANノード、又は新RAN  BSを含み得ること、又は送信ポイント(transmission  point,  TP)、送信受信ポイント(transmission  reception  point,  TRP)、中継局などを含み得ることを理解されたい。これは、本願において特に限定されない。
【０１３３】
本願における端末装置は、ユーザ装置(User  Equipment,  UE)、アクセス端末、加入者装置、加入者局、移動局、移動体コンソール、遠隔局、遠隔端末、移動体装置、ユーザ端末、端末、無線通信装置、ユーザエージェント、又はユーザ機器と呼ばれてよいことを理解されたい。端末装置は、無線ローカルエリアネットワーク(wireless  local  area  networks,  WLAN)の局(station,  ST)であってよく、セルラ電話、コードレス電話、セッション開始プロトコル(session  initiation  protocol,  SIP)電話、無線ローカルループ(wireless  local  loop,  WLL)電話、パーソナルデジタルアシスタント(personal  digital  assistant,  PDA)装置、無線通信機能を有するハンドヘルド装置、計算装置、無線モデムに接続された別の処理装置、車載装置、ウェアラブル装置、5Gネットワークのような次世代通信システムの端末装置、又は将来発展する公衆陸上モバイルネットワーク(public  land  mobile  network,  PLMN)の端末装置であってよい。これは、本発明の実施形態において特に限定されない。
【０１３４】
以上は、添付の図面を参照して、本願の実施形態における通信方法に適用可能な通信システムのアーキテクチャを詳細に説明した。以下は、添付の図面を参照して、本発明の実施形態における通信方法を詳細に説明する。
【０１３５】
図5から図7は、各々、装置相互作用の観点からの本願の実施形態における通信方法の概略フローチャートである。本方法は、無線通信システムに適用され得ることが理解されるべきである。理解を容易にするために、以下は、図2に示すCU-DUアーキテクチャの通信システムを使用することにより、本発明の実施形態を詳細に説明する。通信システムは、1つの第2ネットワークノード(例えば、CU)、少なくとも1つの第1ネットワークノード(例えば、以下の説明に示される第1DU、第2DU、及び第3DUを含む)、及び少なくとも1つの端末装置(例えば、以下の説明に示される第1端末装置を含む)を含んでよい。第1ネットワークノードは、第1通信インタフェースを介して第2ネットワークノードと通信してよく、第1ネットワークノードは、無線インタフェースを介して端末装置と通信してよい。例えば、通信システムは、図2に示す通信システム200であってよく、第1ネットワークノード及び第2ネットワークノードは、それぞれ、図2に示すDU212及びCU211に対応してよく、端末装置は、図2に示す端末装置220に対応してよい。
【０１３６】
以下に記載される実施形態では、一般性を損なうことなく、通信システムにおける第1端末装置(すなわち、端末装置の一例)を用いて、CU-DUアーキテクチャにおける第1端末装置に対するキャリアアグリゲーションを構成する特定のプロセスが詳細に説明される。第1端末装置は、図2に示す通信システム200内の少なくとも1つの端末装置のうちの任意の1つであり得、第1端末装置に接続された一次セル(primary  cell,    PCell)内のDUは、第1DU(すなわち、DUの一例)である。第1端末装置により大きな伝送帯域幅を提供するために、CU及び第1DUは、第1端末装置のために1つ以上の二次セル(secondary  cell,  SCell)を構成する、すなわち、第1端末装置のためにキャリアアグリゲーションを構成する。
【０１３７】
キャリアアグリゲーションは端末装置に特有であり、異なるコンポーネントキャリア(CC)が異なる端末装置に対して構成されてよく、各コンポーネントキャリアは独立したセルに対応してよいことを理解されたい。例えば、一次セルは一次コンポーネントキャリア(又は一次キャリアと呼ばれる)に対応し、二次セルは二次コンポーネントキャリア(又は二次キャリアと呼ばれる)に対応し、一次セル及び二次セルは、端末装置のサービングセル(serving  cell)セットを構成する。言い換えると、サービングセルセットは、少なくとも1つの一次セル及び少なくとも1つの二次セルを含む。
【０１３８】
本願では、理解を容易にするために、LTEの定義が依然として使用され得る。キャリアアグリゲーションが端末装置のために構成されるとき、端末装置はネットワークへのRRC接続を1つだけ持っている。RRC接続の確立/再確立又はハンドオーバの間、非アクセス層(Non  Access  Stratum,  NAS)モバイル情報(例えば、追跡領域識別子)を提供するサービングセルは、一次セルである。RRC接続の再確立又はハンドオーバの間、セキュリティ入力を提供するサービングセルは一次セルである。一次セルは、セキュリティ関連パラメータを提供し、物理アップリンク制御チャネル(physical  uplink  control  channel,  PUCCH)リソースを設定するために、RRCメッセージを使用して端末装置と通信する。二次セルは、RRC接続再構成中に追加されてよく、追加無線リソースを提供するために使用されるセルである。従って、一次セルは、接続確立中に決定されてよく、又はハンドオーバ中にハンドオーバコマンドを使用することによりターゲット基地局により指定されてよく、二次セルは、初期セキュリティ起動プロセスの後に、RRC接続再構成(RRC  Connection  Reconfiguration)メッセージを使用することにより、追加、修正、又は削除される。このシナリオでは、一次セル内のDU(識別及び記述を容易にするために第1DUとして示される)及びCUは、第1端末装置のキャリアアグリゲーションを設定してよい。以下は、図5及び図6を参照して、このシナリオにおける第1端末装置のためのキャリアアグリゲーションを構成する特定のプロセスを詳細に説明する。
【０１３９】
別の可能なシナリオでは、端末装置は、デュアルコネクティビティ(dual  connectivity,  DC)又はマルチコネクティビティ技術を使用することにより複数の基地局システムと通信する。初期アクセス又はハンドオーバの後、端末装置は第1DUへのRRC接続を確立し、第1DUにより管理されるセルを一次セルとして決定する。次に、CU又は第1DUは、さらに、端末装置用の別のDU(識別及び記述を容易にするために第2DUとして示される)を二次基地局として追加し、第2DUにより管理されるセルを一次二次セルとして、及び第2DUにより管理される1つ以上の他のセルを二次セルとして使用することができる。このシナリオでは、CU、一次セル内のDU(すなわち、第1DU)、及び一次二次セル内のDU(すなわち、第2DU)が、一緒に第1端末装置のキャリアアグリゲーションを設定してよい。以下は、図7を参照して、このシナリオにおける第1端末装置のためのキャリアアグリゲーションを構成する特定のプロセスを詳細に説明する。
【０１４０】
しかしながら、前述の一次セル、二次セル、及び一次二次セルの定義は、単に、例示的な説明のために使用されるに過ぎないことが理解されるべきである。本願は、将来のプロトコルにおける一次セル、二次セル、及び一次二次セルの定義を変更する可能性を除外しない。さらに、本願は、将来のプロトコルで新しいプロトコル層を定義し、RRC層を置き換えて、LTEのRRC層と同じ又は類似の機能を実装する可能性を除外しない。
【０１４１】
さらに、キャリアの集合体は端末装置に特有であるため、ある端末装置(例えば、端末装置#Aと示される)の一次セルは別の端末装置(例えば、端末装置#Bと示される)の二次セルであってよく、端末装置#Aの二次セルは別の端末装置(例えば、端末装置#Cとして示される)の一次セルであってよい。言い換えれば、一次セルと二次セルは特定の端末装置用である。
【０１４２】
さらに、図5から図7に示すCU及びDU(第1DU及び第2DUを含む)に配備されたプロトコルスタック構造は、例えば、図4に示すプロトコルスタック構造であってよい。少なくとも第1プロトコル層がCUに配備されている。第1プロトコル層は、少なくとも無線リソース管理の機能を実装するために使用されてよい。例えば、第1プロトコル層はRRC層である。少なくとも第2プロトコル層がDUに配備されている。第2プロトコル層は、少なくとも、媒体上のデータ伝送を制御及び管理する機能を実装するために使用されてよい。例えば、第2プロトコル層はMAC層である。RLC層及びPDCP層のような他のプロトコル層が、下から上へ、第1プロトコル層と第2プロトコル層との間でさらに構成されてよい。各プロトコル層は、現在のプロトコル(例えば、LTEプロトコル)で定義されたプロトコル層の機能と同じ機能を有してよく、現在のプロトコルのプロトコル層の機能が変更されてよい。例えば、本願の本実施形態では、CUに配備されたRRC層は、現在のプロトコルにおいてRRC層のRRC機能を実装してよく、例えば、シグナリング無線ベアラ(signal  radio  bearer,  SRB)0のRRC機能以外のRRC機能、及びSRB0に対応するRRC機能がDUに配備されてよい。
【０１４３】
単に説明を容易にするために、本願の実施形態は図4に示すプロトコルスタック構造を一例として用いてを説明され、CU及びDUに配備されたプロトコルスタック構造はこれに限定されないことを理解されたい。前述の説明において、CU及びDUに配備されたプロトコルスタック構造について、より詳細な説明及び説明が提供されている。詳細は、簡略化のために本明細書には再度記載しない。
【０１４４】
以下は、先ず、図5を参照して、本願の一実施形態において提供される通信方法500を詳細に説明する。
【０１４５】
図5に示すように、方法500は、以下のステップを含む。
【０１４６】
S510。第1端末装置は、第1DUの第1セルへのRRC接続を確立する。
【０１４７】
第1端末装置は、セル探索を通してセル(識別及び記述を容易にするために第1セルとして示される)と同期し、第1セルのシステム情報を取得し、次いで、初期アクセスプロセスを開始してよい。あるいは、第1端末装置は、RRC接続再確立プロセス又はハンドオーバプロセスで第1セルにアクセスする。第1セルは、第1端末装置の一次セルであることが理解され得る(一次セルに対応するキャリアは一次キャリアであることが理解されるべきである)。端末装置により取得された第1セルのシステム情報は、1次セルのシステム情報であり、端末装置は、ランダムアクセス要求とRRC接続要求を、第1セルのDU(識別及び記述を容易にするために第1DUとして示される)に送信し、第1セルへのアクセスを要求する。
【０１４８】
第1セルへのRRC接続を確立した後、第1端末装置は、第1DU、CU、及びコアネットワーク装置により端末装置に別々に割り当てられた識別子を取得することができる。一例として、限定するものではないが、第1DUは、セル無線ネットワーク一時識別子(cell  radio  network  temporary  identity,  C-RNTI)を第1端末装置に割り当て、CUは、第1通信インタフェース上のユーザ装置(user  equipment,  UE)識別子(identity,  ID)を第1端末装置に割り当て、コアネットワーク装置は、第1端末装置に一時移動加入者識別子(temporary  mobile  subscriber  identity,  TMSI)を割り当ててよい。言い換えれば、各端末装置は、異なるネットワーク装置において異なる識別子を持つが、異なるネットワーク機器における各端末装置の全ての識別子は、端末装置を一意に示すことができる。ネットワーク機器により1つの端末装置に割り当てられた識別子の間には、1対1のマッピング関係が存在し、各ネットワーク機器はマッピング関係を記憶してよい。その結果、他のネットワーク機器は、端末装置の識別子に基づいて、端末装置を決定する。
【０１４９】
端末装置によりネットワークに初期アクセスする特定のプロセスは、既存のプロトコル(例えば、LTEプロトコル)におけるアクセスプロセスと同様であってよいことを理解されたい。簡潔にするために、特定のプロセスの詳細な説明は、ここでは省略する。
【０１５０】
初期アクセスプロセスでは、第1セルへのRRC接続を確立した後、第1端末装置はコアネットワーク上の登録と認証を完了し、コアネットワークと無線インタフェースのセキュリティを起動する。
【０１５１】
S520。CUは、第1端末装置に第1サービングセルセットを設定し、第1サービングセルセットの構成情報(識別及び説明を容易にするために第2構成情報として示される)を第1DUに送信する。
【０１５２】
具体的には、第1端末装置が第1DU内の第1セルへのRRC接続を確立した後、CUは第1端末装置の第1サービングセルセットを設定してよい。
【０１５３】
前述の説明から、デュアルコネクティビティ又はマルチコネクティビティを考慮することなく、キャリアアグリゲーションは、サイト内キャリアアグリゲーション及びクロスサイトキャリアアグリゲーションであり得ることが分かる。キャリアアグリゲーションがサイト内キャリアアグリゲーションである場合、第1サービングセルセットは、第1DUにより管理されるセル内にあり、第1端末装置の二次セルとして構成され得るセルを含んでよく、又はキャリアアグリゲーションがクロスサイト(又はサイト間)キャリアアグリゲーションである場合、第1サービングセルセットは、第1DU及び別のDU(例えば、第3DU)により管理されるセル内にあり、第1端末装置の二次セルとして構成され得るセルを含んでよい。
【０１５４】
単に識別及び説明を容易にするために、本明細書では、第1サービングセルセット内の二次セルに対応するDUは、第1DU及び第3DUを含むと仮定する。実際には、第1サービングセルセット内の二次セルに対応するより多くのDUが存在し得る。これは、本願において特に限定されない。
【０１５５】
本願の本実施形態では、CUは、以下の方法のうちの少なくとも1つを使用することにより、第1端末装置の第1サービングセルセットを構成してよい。
【０１５６】
方法1:CUは、測定結果に基づいて、第1端末装置の第1サービングセルセットを設定する。
【０１５７】
方法2:CUは、第1端末装置の第1サービングセルセットをブラインド設定する。
【０１５８】
具体的には、方法1において、測定結果は、以下の少なくとも1つを含んでよい：
第1端末装置からの第1プロトコル層の第1測定結果、
第1端末装置からの第3プロトコル層の第2測定結果、
第1DUにより報告される、第1端末装置の信号に基づいて測定されるアップリンクチャネルの第3測定結果。
【０１５９】
第1プロトコル層は第2プロトコル層より上のプロトコル層である。本願の本実施形態では、限定ではなく例として、第1プロトコル層は、RRC層又は類似の無線リソース管理機能を有するプロトコル層であってよい。第3プロトコル層は、PHY層、又はデータ伝送のための物理リソースを提供するための同様の機能を有するプロトコル層であってよい。
【０１６０】
上述の測定結果において、第1測定結果及び第2測定結果は、ダウンリンクチャネルの測定結果であり、測定結果は、第1端末装置により生成された測定報告であってよく、又は第1DUにより処理されて得られた測定結果であってよい。具体的には、ダウンリンクチャネルの測定結果は、RRC層測定結果(又は、無線リソース管理(radio  resource  management,  RRM)測定結果、又は、レイヤ3測定結果)とPHY層測定結果(又は、レイヤ1測定結果として示される)を含む。
【０１６１】
RRC層及びPDCP層がCU内に配置され、RLC層、MAC層、及びPHY層がDU内に配置されるとき、CUは、異なる方法で、第1端末装置から異なるプロトコル層の測定結果を得てよいことが理解され得る。
【０１６２】
第1端末装置からのRRC層測定報告については、RRC層測定報告がRRCメッセージで搬送され、従って、RRC層測定報告は第1DUによりCUに直接転送され、CUは測定報告に基づいてRRC層での第1測定結果を解析することができる。
【０１６３】
第1端末装置からのPHY層測定報告については、PHY層測定報告は、PHY層メッセージ又はMAC層メッセージで搬送されてよく、従って、第1DUは、PHY層測定報告を受信すると、第2測定結果を解析することができる。次に、第1DUは、第1通信インタフェースを介して、第2測定結果をCUに送信する。
【０１６４】
本明細書では、CUが第1端末装置のために第1サービングセルセットを構成するのに基づいた測定結果が、第1端末装置からの第3プロトコル層の第2測定結果を含む場合、測定信号(例えば、ダウンリンク基準信号)が、第1サービングセルセット内の二次セルに対応するキャリア上で送信されるように構成される必要があることに留意されたい。このようにして、UEは、測定信号を受信し、第1サービングセルセット内の二次セルに対する第1端末装置による測定により得られた第3プロトコル層の第2測定結果を正確に得る。
【０１６５】
限定ではなく例として、第1端末装置からの測定報告は、以下の少なくとも1つを含んでよい：
基準信号受信電力(reference  signal  received  power,  RSRP)、基準信号受信品質(reference  signal  received  quality,  RSRQ)、信号対雑音比(signal-to-noise  ratio,  SNR)、信号対干渉プラス雑音比(signal  to  interference  plus  noise  ratio,  SINR)、チャンネル状態情報(channel  state  information,  CSI)、チャンネル品質インジケータ(channel  quality  indicator,  CQI)、プリコーディングマトリックスインジケータ(precoding  matrix  indicator,  PMI)、ランクインジケータ(rank  indication,  RI)。
【０１６６】
上述の測定報告は、セル(cell)又はビーム(beam)に基づいてよい。測定報告がセルに基づく場合、測定報告はセル識別子(cell  ID)を搬送し、測定報告がビームに基づく場合、測定報告はビーム識別子(beam  ID)を搬送する。
【０１６７】
第3測定結果は、アップリンクチャネルの測定結果である。アップリンクチャネルの測定結果は、アップリンクチャネルをモニタすることにより、第1DUにより得られてよい。具体的には、測定報告は、第1端末装置により送信されるサウンディング基準信号(sounding  reference  signal,  SRS)又はチャネル状態情報基準信号(channel  state  information  reference  signal,  CSI-RS)に基づいて生成されてよく、第1通信インタフェースを介してCUに送信される。
【０１６８】
第1通信インタフェースを介して第1DUによりCUに送られる測定結果は、F1インタフェース制御プレーンメッセージ又はF1インタフェースユーザプレーンメッセージで搬送されてよいことに留意されたい。
【０１６９】
限定ではなく例として、アップリンクチャネルの測定報告は、以下の少なくとも1つを含んでよい：
RSRP、RSRQ、SNR、SINR、CSI、CQI、PMI、RI。
【０１７０】
上述の測定報告の特定の内容は、例示的な説明のためにのみ使用されるものであり、本願に対する制限を構成するものではないことを理解されたい。測定報告は、1つ以上の内容がを含んでよく、上述の内容以外の内容を含んでよい。これは、本願において特に限定されない。
【０１７１】
方法2において、CUは、ブラインド構成方法を使用することにより、第1端末装置の第1サービングセルセットを決定してよい。この方法では、基地局が第1端末装置の第1サービングセルセットをブラインド設定する従来技術の特定のプロセスを参照する。簡潔にするために、特定のプロセスの詳細な説明は、ここでは省略する。
【０１７２】
代替として、CUは、他の情報、例えば第1端末装置により報告された履歴情報に基づいて、第1端末装置の第1サービングセルセットを決定してよい。これは、本願において特に限定されない。
【０１７３】
任意で、第2構成情報は、第1通信インタフェース(例えば、F1インタフェース)によりサポートされるプロトコルに基づいてCUにより生成されてよい。例えば、第2構成情報は、F1インタフェース制御プレーン(F1CPとして示される)メッセージ内で搬送されてよく、さらに、F1インタフェース制御プレーンメッセージは、F1APメッセージである。あるいは、第2構成情報は、F1インタフェースユーザプレーン(F1UPとして示される)メッセージで搬送されてよい。任意で、F1インタフェース制御プレーンメッセージはSCTPのトランスポート層プロトコルで搬送され、F1インタフェースユーザプレーンメッセージはGTP-Uのトランスポート層プロトコルで搬送される。
【０１７４】
第1DUは、第1通信インタフェースを介して第2構成情報を受信してよい。例えば、第1DUは、F1APに基づいて第2構成情報を取得する。
【０１７５】
第2構成情報は、以下の少なくとも1つを含む：
端末装置識別情報、一次セル識別情報、二次セル識別情報、二次セルインデックス、二次セル周波数情報。
【０１７６】
限定ではなく例として、端末装置識別情報は、C-RNTI及びUE  IDのうちの少なくとも一つを含む。
【０１７７】
限定ではなく例として、一次セル識別情報は、無線アクセスネットワークセルグローバル識別子及び物理セル識別子(physical  cell  identifier,  PCI)のうちの少なくとも1つを含む。
【０１７８】
限定ではなく例として、二次セル識別情報は、無線アクセスネットワークセルグローバル識別子及びPCIのうちの少なくとも1つを含む。
【０１７９】
任意で、第2構成情報は、さらに、二次セルの状態を示す。
【０１８０】
二次セルの状態は、アクティブ状態又は非アクティブ状態である。
【０１８１】
具体的には、第2構成情報は、各二次セルの識別子及び二次セルの状態を含んでよく、すなわち、各二次セルの状態は、明示的に示される。あるいは、第2構成情報が、アクティブ状態の二次セル又は非アクティブ状態の二次セルのみを含むことが、プロトコルにおいて定義されてよい。これに対応して、第2構成情報は、アクティブ状態の二次セル又は非アクティブ状態の二次セルのみを含み得る。すなわち、各二次セルの状態は、暗黙のうちに示される。
【０１８２】
本願の本実施形態では、第2構成情報は、第1端末装置のためにCUにより構成された第1サービングセルセットを示すために使用されてよく、第1サービングセルセットは、少なくとも1つの二次セルを含む。任意で、第2構成情報は、二次セル(secondary  cell,  Scell)リスト(Scell  list)を含んでよく、二次セル識別情報、二次セルインデックス、及び二次セル周波数情報の間の1対1のマッピング関係が、二次セルリストに記録される。
【０１８３】
任意で、第2構成情報は、プロトコルスタック関連の構成情報をさらに含んでよい。
【０１８４】
限定ではなく例として、プロトコルスタック関連の構成情報は、バッファ(buffer)構成関連情報のようなRLC層構成関連情報、例えばハイブリッド自動再送要求(hybrid  automatic  repeat  request,  HARQ)エンティティ(entity)の構成関連情報及びバッファ状態レポート(buffer  state  report,  BSR)サイズ(BSR-Size)の構成関連情報を含むMAC層構成関連情報、及び、例えば、クロスキャリアスケジューリングが構成可能かどうかを示すPHY層構成関連情報、及び、クロスキャリアスケジューリング構成関連情報を含んでよい。
【０１８５】
前述の説明は、単に、例示的な説明のために使用されているにすぎず、この出願に対する制限を構成するものではないことを理解すべきである。プロトコルスタック関連の構成情報については、プロトコルスタック構成に使用される従来技術の情報を参照のこと。簡潔にするために、例は、ここでは一つ一つ提供されない。
【０１８６】
サイト間キャリアアグリゲーションの場合、第1端末装置のためにCUにより設定された二次セルは、第1DUに属していなくてよいことに留意されたい。この場合、CUは、第2構成情報を二次セルのDU(例えば、第3DU)に同時に送信してよい。その結果、全てのDUは、第1サービングセルセット内の二次セルに関する情報を取得する。
【０１８７】
任意で、第1DU及び第3DUは、第2構成情報に基づいて、第1サービングセルセット内の二次セルに対してプロトコル層関連構成を実行する。
【０１８８】
第2構成情報に含まれるプロトコルスタック関連の構成情報の具体的な内容は、前述の説明で説明されている。第2構成情報を受信した後、各DUは、第2構成情報に含まれるプロトコルスタック関連の構成情報に基づいて構成を実行することができる。具体的には、各プロトコル層(例えば、RLC層、MAC層、及びPHY層を含む)は、構成パラメータを更新し又は第1端末装置に割り当てられたコンポーネントキャリアに対応するエンティティを確立してよい。例えば、より大きなバッファがRLC層に割り当てられ、複数のHARQエンティティがMAC層の各二次セルに割り当てられ、物理チャネル構成情報がPHY層の各二次セルに割り当てられ、例えば、クロスキャリアスケジューリングが起動される必要があるかどうかが決定される。クロスキャリアスケジューリングの場合、他のセルの物理リソーススケジューリング情報は、物理チャネルデータ伝送を行うためにPDCCH上で搬送される。
【０１８９】
各DUが対応する二次セルに対してプロトコル層関連の構成を実行する特定のプロセス及び方法は、基地局が各二次セルに対してプロトコル層関連の構成を実行する従来技術の特定のプロセス及び方法と同じであってよいことを理解されたい。本明細書には、簡略化のために詳細を記載しない。
【０１９０】
任意で、S520は、代替的に、第1DUは、第1端末装置に第1サービングセルセットを構成し、CUに第1サービングセルセットの構成情報(識別及び説明を容易にするために第3構成情報として示される)を送信する。具体的には、第1サービングセルセットは、以下の2つの方法を使用することにより、第1端末装置に対して構成され得る。
【０１９１】
方法1:第1DUは、二次セルリスト内の二次セルを決定し、二次セル識別情報をCUに送信し、CUは、二次セルインデックスを対応する二次セルに割り当て、二次セルインデックスを第1DUに送信する。
【０１９２】
方法2:第1DUは、二次セルリスト内の二次セルを決定し、対応する二次セルインデックスを割り当て、二次セル識別情報と二次セルインデックスをCUに送信する。
【０１９３】
具体的には、方法1に対応して、第3構成情報は、少なくとも二次セル識別情報を含んでよい。任意で、第3構成情報は、さらに、二次セル周波数情報及び二次セル状態情報のうちの少なくとも1つを含んでよい。第3構成情報を受信した後、CUはDUに第1肯定応答メッセージを送信し、第1肯定応答メッセージは少なくとも二次セルインデックスを含む。任意で、第1肯定応答メッセージは、さらに、二次セル識別情報、二次セル周波数情報、及び二次セル状態情報のうちの少なくとも1つを含んでよい。
【０１９４】
具体的には、方法2に対応して、第3構成情報は、少なくとも、二次セル識別情報及び二次セルインデックスを含んでよい。任意で、第3構成情報は、さらに、二次セル周波数情報及び二次セル状態情報のうちの少なくとも1つを含んでよい。さらに、任意で、第3構成情報を受信した後、CUは第1肯定応答メッセージをDUに送信する。任意で、第1肯定応答メッセージは、二次セル識別情報、二次セルインデックス、二次セル周波数情報、及び二次セル状態情報の少なくとも1つを含んでよい。
【０１９５】
任意で、前述の2つの方法において、第1肯定応答メッセージは、さらに、二次セルに対応するプロトコルスタック構成情報を含んでよい。第1肯定応答メッセージに基づいて第1DUが第1サービングセルセット内の各二次セルに対してプロトコル層関連の構成を実行する特定の方法は、第2構成情報に基づいて第1DUが二次セルに対してプロトコルスタック関連の構成を実行する特定の方法と同様であることを理解されたい。反復を避けるために、ステップの特定の説明は、ここでは省略される。
【０１９６】
任意で、第3構成情報は、第1通信インタフェース(例えば、F1インタフェース)によりサポートされるプロトコルに基づいて、第1DUにより生成されてよい。例えば、第3構成情報は、F1インタフェース制御プレーン(F1CPとして示される)メッセージ内で搬送されてよく、さらに、F1インタフェース制御プレーンメッセージは、F1APメッセージである。あるいは、第3構成情報は、F1インタフェースユーザプレーン(F1UPとして示される)メッセージで搬送されてよい。任意で、F1インタフェース制御プレーンメッセージはSCTPのトランスポート層プロトコルで搬送され、F1インタフェースユーザプレーンメッセージはGTP-Uのトランスポート層プロトコルで搬送される。
【０１９７】
CUは、第1通信インタフェースを介して第3構成情報を受信してよい。例えば、CUは、F1APに基づいて第3構成情報CUを取得する。
【０１９８】
第1肯定応答メッセージを生成し送信する方法は、第2構成情報を生成し送信する方法と同様であることを理解されたい。反復を避けるために、ステップの特定の説明は、ここでは省略される。
【０１９９】
さらに、理解を容易にするために、CUが第2構成情報を第1DUに送信するプロセスのみが図に示され、第1DUが第3構成情報をCUに送信するプロセス、CUが第1肯定応答メッセージを第1DUに送信するプロセスが図示されていないことに注意すべきであるが、これは本願に限定されるものではない。
【０２００】
任意で、本方法500は、さらに、以下のステップを含む。
【０２０１】
S530。CUは第1構成情報を生成し、第1DUは第1構成情報を第1端末装置に転送する。
【０２０２】
具体的には、CUは、候補二次セルリストの構成情報(識別及び記述を容易にするための第1構成情報として示される)を第1端末装置に送信してよい。具体的には、CUは、第1プロトコル層で第1構成情報を生成してよい。図4に一例として示すプロトコルスタック構造を用いて、第1構成情報は、RRC層で生成された情報であり、該情報は、PDCP層で処理され、第1通信インタフェースを介して第1DUに送られる。第1DUは、RLC層、MAC層、及びPHY層で受信した情報を連続的に処理し、RFは処理された情報を無線インタフェースを介して送信する。
【０２０３】
任意で、第1構成情報は、第1プロトコル層においてCUにより生成されてよい。例えば、第1構成情報は、RRCメッセージで搬送されてよい。
【０２０４】
S530では、第1端末装置は、無線インタフェースを介して、第1DUにより送信され、第1DUにより処理された第1構成情報を受信し、RRC層において第1構成情報を解析してよい。
【０２０５】
第1構成情報は、第1端末装置のためにCUにより構成された第1サービングセルセットを示すために使用される。第1構成情報で示された第1サービングセルセットは、S520の前述の説明に記載された第1サービングセルセットに対応し、少なくとも1つの二次セルを含む。任意で、第1構成情報は、二次セルリスト(Scell  list)を含んでよい。二次セル識別情報、二次セルインデックス、及び二次セル周波数情報の間の1対1のマッピング関係は、二次セルリストに記録される。
【０２０６】
任意で、前記二次セル識別情報は、ECGI又はPCIのうちの少なくとも1つを含んでよい。
【０２０７】
第1構成情報は、第1端末装置に、第1サービングセルセット及び対応する構成情報を通知するために使用され、その結果、第1端末装置は、後続の二次セル構成情報を受信する。例えば、第1構成情報は、前述の二次セルリストであってよい。二次セル識別情報、二次セルインデックス、及び二次セル周波数情報の間の1対1のマッピング関係は、二次セルリストに記録される。第1構成情報を受信した後、第1端末装置は、二次セルリストを格納してよい。したがって、続いて起動/停止指示(すなわち、以下の説明における第1指示情報)を受信すると、第1端末装置は、構成情報に基づいて対応する周波数で、二次セルインデックスに対応するアクティブな二次セルを見出すことができる。
【０２０８】
任意で、第1構成情報は、さらに、二次セルの状態を示す。
【０２０９】
二次セルの状態は、アクティブ状態又は非アクティブ状態である。
【０２１０】
具体的には、第1構成情報は、各二次セルの識別子と、二次セルの状態とを含んでよく、すなわち、二次セルの状態は、明示的に示される。あるいは、第1構成情報が、アクティブ状態の二次セル又は非アクティブ状態の二次セルのみを含むことを、プロトコルで定義してよい。これに対応して、第1構成情報は、アクティブ状態の二次セル又は非アクティブ状態の二次セルのみを含んでよい。すなわち、二次セルの状態は、暗黙のうちに示される。
【０２１１】
任意で、第1構成情報は、第1プロトコル層においてCUにより生成されてよい。例えば、第1構成情報は、RRCメッセージで搬送されてよい。
【０２１２】
S540。第1DUは、第1指示情報内の少なくとも1つの第1の二次セルの状態を、第1サービングセルセットから決定する。
【０２１３】
本願の本実施形態では、第1DUは、第1端末装置の一次セルのDUであり、第1端末装置の各二次セルの状態を決定し、決定の結果に基づいて第1指示情報を生成してよい。具体的には、第1DUは、現在のネットワーク状態において、第1サービングセルセット内のどの二次セルがアクティブ状態に設定され得るか、すなわち、第1端末装置とのデータ送信のための二次セルとして構成され得る二次セルを決定してよく、第1DUは、第1サービングセルセット内のどの二次セルが非アクティブ状態に設定され得るか、すなわち、第1端末装置とのデータ送信のための二次セルとして現在構成されていない二次セルを決定してよい。
【０２１４】
識別及び説明を容易にするために、本出願の本実施態様において、第1指示情報に含まれる二次セルは、第1の二次セルとして示される。第1指示情報に含まれる二次セルは、第1サービングセルセットに属することが理解され得る。換言すれば、第1指示情報に含まれる二次セルは、第1サービングセルセットのサブセット、又はサービングセルセットのセット全体であってよい。
【０２１５】
可能な設計では、第1指示情報は、第1サービングセルセット内の全ての二次セルを含み、各二次セルの状態を示してよい。別の可能な設計では、第1指示情報は、第1サービングセルセット内の幾つかの二次セルを含んでよく、幾つかの二次セルの各々の状態を示すために使用される。さらに別の可能な設計では、第1指示情報は、第1サービングセルセット内の幾つかの二次セルを含んでよく、幾つかの二次セルは、第1DU又はCUにより決定され、アクティブ状態又は非アクティブ状態に設定される。
【０２１６】
任意で、S540は、具体的に以下を含む:
第1DUにより、測定結果に基づいて、第1指示情報内の少なくとも1つの第1の二次セルの状態を決定するステップ。
【０２１７】
測定結果は、S520に記載された測定結果であってよい。測定結果の具体的な内容については、S520に詳述した。詳細は、簡略化のために本明細書には再度記載しない。
【０２１８】
RRC層及びPDCP層がCU内に配置され、RLC層、MAC層及びPHY層が第1DU内に配置されるとき、第1DUは、異なる方法で第1端末装置から異なるプロトコル層の測定結果を取得してよいことが理解され得る。
【０２１９】
第1端末装置からのRRC層測定報告では、RRC層測定報告はRRCメッセージ内で搬送されてよく、従って、第1DUはRRC層測定報告を直接解析することはできないが、RRC層測定報告をCUに転送することができ、CUは測定報告に基づいてRRC層での第1測定結果を解析する。CUは、第1測定結果を最初の通信インタフェースを介して第1DUに送信する。任意で、第1測定結果は、第1インタフェース制御プレーンメッセージ又は第1インタフェースユーザプレーンメッセージ内で搬送されてよい。
【０２２０】
第1端末装置からのPHY層測定報告では、PHY層測定報告は、PHY層メッセージ又はMAC層メッセージで搬送されてよく、従って、第1DUは、PHY層測定報告を受信するとき、第2測定結果を直接解析することができる。
【０２２１】
ここで留意すべきことは、第1DUが第1サービングセルセット内の各第1の二次セルのアクティブ／非アクティブ状態を決定するのに基づく測定結果が、第1端末装置からの第3プロトコル層の第2測定結果を含む場合、測定信号(例えば、ダウンリンク基準信号)は、第1サービングセルセット内の二次セルに対応するキャリア上で送信されるように構成され、第1サービングセルセット内の二次セルに対する第1端末装置による測定により取得された第3プロトコル層の第2測定結果を正確に得る必要があることである。
【０２２２】
第1端末装置の信号に基づいて第1DUが測定することにより取得されたアップリンクチャネルの測定結果では、測定結果は第1DUが測定することにより取得されるため、第1DUが第3測定結果を直接取得してよい。
【０２２３】
従って、第1DUは、測定結果に基づいて、第1サービングセルセットからの少なくとも1つの第1の二次セルの状態を決定する。その結果、第1サービングセルセット内の各二次セル内の第1端末装置のアップリンク/ダウンリンク送信状態に基づいて、キャリアアグリゲーションのために比較的適切な二次セルが選択できる。さらに、前述の測定結果のうちの1つ以上に基づいて決定が行われるため、決定精度を向上させることができる。
【０２２４】
第1DUは、代替として、他の情報に基づいて、第1のセット内の第1の二次セルのアクティブ／非アクティブ状態を決定すしてよいことを理解されたい。さらに、第1DUが第1サービングセルセット内の第1の二次セルのアクティブ/非アクティブ状態を決定する特定の方法は、基地局が第1サービングセルセット内の第1の二次セルのアクティブ/非アクティブ状態を決定する特定の従来技術の方法と同じであってよい。本明細書には、簡略化のために詳細を記載しない。
【０２２５】
さらに、第1DUが第1サービングセルセットから、アクティブ／非アクティブ状態に設定された第1の二次セルを決定するステップS540は、第1の二次セルのアクティブ／非アクティブ状態を決定する可能な実施例に過ぎないことを理解されたい。実際には、クロスサイトキャリアアグリゲーションの場合、第3DUは、第3DUにより管理される二次セルを決定し、第3DUにより管理される各二次セルのアクティブ／非アクティブ状態を決定してもよい。この場合、第1DUは、第1DUにより管理される二次セルのみを決定し、第1DUにより管理される二次セル内の少なくとも1つの第1の二次セルのアクティブ／非アクティブ状態を決定してよい。さらに、第3DUの特定の決定方法及びプロセスは、第1DUの特定の決定方法及びプロセスと同様であることが理解されるべきである。反復を避けるために、プロセスの詳細な説明はここでは省略される。
【０２２６】
さらに、第1DU及び第3DUが、それぞれ第1DU及び第3DUにより管理される各二次セルのアクティブ/非アクティブ状態を決定するとき、第3DUは、決定の結果をCUに送信してよく、CUは、決定の結果を第1DUに転送し、その結果、第1DUは、S550において決定の結果を第1端末装置に通知することに留意されたい。
【０２２７】
S550。第1DUは、第1指示情報を生成し、第1指示情報を第1端末装置に送信する。第1指示情報は、少なくとも1つの第1の二次セルの状態を示すために使用される。
【０２２８】
クロスサイトキャリアアグリゲーションの場合、第1指示情報における第1の二次セルは、第1DUにより管理される二次セルであってよく、又は第3DUにより管理される二次セルであってよいことに留意されたい。
【０２２９】
限定ではなく例として、第1指示情報は、以下のいずれか1つを含む：
アクティブ状態に設定された第1の二次セル、
非アクティブ状態に設定された第1の二次セル、又は、
第1の二次セル及び第1の二次セルの状態。
【０２３０】
任意で、二次セルは、二次セルインデックスを使用することにより示されてよい。
【０２３１】
第1端末装置は、受信した第1構成情報に基づいて、二次セル識別情報、二次セルインデックス、二次セル周波数情報の間の1対1のマッピング関係を記憶してよいことがS520に記載されている。したがって、第1指示情報を受信した後、第1端末装置は、第1指示情報内で示されている、アクティブ/非アクティブ状態に設定されている第1の二次セルのインデックスに基づいて、アクティブ/非アクティブの第1の二次セルを決定してよい。第1指示情報を受信した後、第1端末装置は、アクティブ状態に設定され、第1指示情報に示される第1の二次セルに基づいて、対応するコンポーネントキャリア上の物理ダウンリンク制御チャネル(physical  downlink  control  channel,  PDCCH)を受信し、第1端末装置に対してスケジュールされたリソースに基づいてデータを送信してよい。さらに、測定報告は、定期的に又は非周期的にさらに送信されてよい。
【０２３２】
本発明の本実施形態では、第1指示情報を受信した後、第1端末装置は、少なくとも1つの第1の二次セルの第1指示情報内で示される状態に基づいて、サービングセルセット内の少なくとも1つの第1の二次セルの状態を更新してよい。
【０２３３】
ここでの更新とは、各第1の二次セルの現在の状態が、受信した第1指示情報内で示されている第1の二次セルの状態に基づいて更新されるが、第1の二次セルの現在の状態は必ずしも変更されないことを意味する。例えば、第1指示情報内で示されている状態と現在の状態が同じとき、現在の状態を変更する必要はなく、第1指示情報内で示されている状態と現在の状態が異なるとき、現在の状態を変更する必要がある。例えば、二次セル(例えば、二次セル#A、すなわち、第一の二次セルの一例)がアクティブ状態であり、第1指示情報が、二次セルが非アクティブ状態であることを示す場合、二次セル#Aは非アクティブ状態に更新される。二次セル(例えば、二次セル#B、すなわち、第1の二次セルの別の例)が非アクティブ状態であり、第1指示情報が、二次セルがアクティブ状態であることを示す場合、二次セル#Bはアクティブ状態に更新される。二次セル(例えば、二次セル#C、すなわち、第1の二次セルのさらに別の例)がアクティブ状態にあり、第1指示情報が、二次セルがアクティブ状態にあることを示し、又は二次セル(例えば、二次セル#D、すなわち、第1の二次セルのまたさらに別の例)が非アクティブ状態にあり、第1指示情報が、二次セルが非アクティブ状態にあることを示す場合、二次セル#Cの現在の状態及び二次セル#Dの現在の状態は変更されない。以下の記載を簡潔にするため、同一又は類似の場合についての記載を省略する。
【０２３４】
アクティブ状態に設定された二次セルを決定した後の第1端末装置の処理動作は、従来技術の端末装置の処理動作と同一である。本明細書には、簡略化のために詳細を記載しない。
【０２３５】
任意で、第1指示情報は、第2プロトコル層において第1DUにより生成されてよい。例えば、第1指示情報はMAC制御エレメント(control  element,  CE)内で搬送されてよい。
【０２３６】
換言すれば、第1指示情報は、レイヤ2メッセージを使用して送信され、その結果、アクティブ/非アクティブの二次セルは、ネットワーク状態に基づいてリアルタイムで調整され、それにより、構成検証のリアルタイム性能を向上させる。
【０２３７】
S530の第1構成情報については、第1構成情報は、RRCメッセージで搬送されてよい。言い換えると、CUは、RRCメッセージを使用することにより、第1端末装置に第1サービングセルセットを示してよい。その結果、第1端末装置は、第1サービングセルセット内の二次セルの構成情報を取得する。続いて、第1DUは、MAC  CEを使用して、第1指示情報を第1端末装置に送信して、リアルタイムで、アクティブ/非アクティブ状態に設定された二次セルを示してよい。その結果、第1端末装置は、アクティブな二次セルを使用して、第1指示情報に基づいてデータを送信し、それにより、キャリアアグリゲーションを実現する。
【０２３８】
さらに、上述の説明では、第1サービングセルセット内の二次セル及び第1端末装置の一次セルが、同一のDUに属していてよく、又は異なるDUに属していてよいことが記載されている。さらに、DUが第1端末装置の一次セルのDUと異なる二次セルのDUが第3DUであると仮定される。従って、アクティブ状態に設定され得る二次セルは、第1DU内のセルであってよく、又は第3DU内のセルであってよい。
【０２３９】
任意で、本方法500は、さらに、以下を含む。
【０２４０】
S560。第1DUは、第3指示情報をCUに送信し、第3指示情報は、第1指示情報内にある、少なくとも1つの第1の二次セル及び少なくとも1つの第1の二次セルの状態をCUに通知するために使用される。
【０２４１】
言い換えれば、第1端末装置のアクティブ/非アクティブ状態にある第1の二次セルを決定した後、第1DUは、第1の二次セルをCUに通知してよい。その結果、CUは、第1端末装置の二次セルのアクティブ/非アクティブ状態を維持する。
【０２４２】
任意で、第3指示情報は、第1通信インタフェース(例えば、F1インタフェース)によりサポートされるプロトコルに基づいて、第1DUにより生成されてよい。例えば、第3指示情報は、F1インタフェース制御プレーン(F1CPとして示される)メッセージ内で搬送されてよく、さらに、F1インタフェース制御プレーンメッセージは、F1APメッセージである。あるいは、第3指示情報は、F1インタフェースユーザプレーン(F1UPとして示される)メッセージで伝達されてよい。任意で、F1インタフェース制御プレーンメッセージはSCTPのトランスポート層プロトコルで搬送され、F1インタフェースユーザプレーンメッセージはGTP-Uのトランスポート層プロトコルで搬送される。
【０２４３】
クロスサイトキャリアアグリゲーションの場合、第3指示情報は、第3DUにより管理される二次セルをさらに含んでよいことに特に留意されたい。任意で、方法は、さらに、CUにより第4指示情報を第3DUに送信するステップを含み、第4指示情報は、第3DUに対して、第1端末装置に対して、第3DUにより管理される二次セルにおいて、少なくとも1つの二次セルをアクティブ／非アクティブ状態に設定するように指示するために使用される。
【０２４４】
前述のステップを通して、CU及び第1DUは、第1端末装置のためのキャリアアグリゲーション構成を完了する。
【０２４５】
したがって、本願の本実施形態では、CUは、第1プロトコル層において第1サービングセルセットを含む第1構成情報を生成し、第1DUを使用することにより、第1サービングセルセットを含む第1構成情報を端末装置に示す。第1DUは、第2プロトコル層において第1指示情報を生成し、第1指示情報を送信して、少なくとも1つの第1の二次セルのアクティブ/非アクティブ状態を第1端末装置に通知する。その結果、第1指示情報を受信した後、第1端末装置は、二次セルのアクティブ/非アクティブ状態を更新し、アクティブな二次セルを使用することによりデータを送信してよい。これは、CU-DUアーキテクチャにおける端末装置のためのキャリアアグリゲーションの構成を実装し、端末装置の伝送帯域幅を増加するのを助ける。さらに、本願の本実施態様において、第1DUは、少なくとも1つの第1の二次セルのアクティブ/非アクティブ状態を決定する。その結果、第1指示情報が決定の結果に基づいて直接生成できる。これは比較的簡単で便利である。
【０２４６】
以下は、図6を参照して、本願の別の実施形態で提供される通信方法600を詳細に説明する。
【０２４７】
図6に示すように、方法600は、以下のステップを含む。
【０２４８】
S610。第1端末装置は、第1DUの第1セルへのRRC接続を確立する。
【０２４９】
S620。CUは、第1端末装置のための第1サービングセルセットを構成し、第1サービングセルセットの構成情報(識別及び説明を容易にするために第2構成情報として示される)を第1DUに送信する。
【０２５０】
任意で、S620は、代替的に、以下の通りである。第1DUは、第1端末装置のために第1サービングセルセットを構成し、第1サービングセルセットの構成情報(識別及び説明を容易にするために第3構成情報として示される)をCUに送信する。さらに、任意で、CUは第1DUに第1肯定応答メッセージを送信する。
【０２５１】
理解を容易にするために、図には、CUが第2構成情報を第1DUに送信するプロセスのみが示されており、第1DUが第3構成情報をCUに送信し、CUが第1DUに第1肯定応答メッセージを送信するプロセスは示されていないが、これは本願の制限を構成しないものとする。
【０２５２】
S630。CUは第1構成情報を生成し、第1DUは第1構成情報を第1端末装置に転送する。
【０２５３】
任意で、第1構成情報はRRCメッセージで搬送される。
【０２５４】
S610〜S630の処理手順は、方法500におけるS510〜S530の処理手順と同一である。詳細は、簡略化のために本明細書には再度記載しない。
【０２５５】
S640。CUは、第2指示情報内にある、少なくとも1つの第1の二次セル及び少なくとも1つの第1の二次セルの状態を決定する。
【０２５６】
本願の本実施形態では、CUは、第1サービングセルセットからの少なくとも1つの第1の二次セルのアクティブ/非アクティブ状態を決定するように構成されてよい。具体的には、CUは、現在のネットワーク状態において、第1サービングセルセット内のどの二次セルがアクティブ状態に設定され得るか、すなわち、第1端末装置とのデータ送信のための二次セルとして構成され得る二次セルを決定してよく、また、CUは、第1サービングセルセット内のどの二次セルが非アクティブ状態に設定され得るか、すなわち、第1端末装置とのデータ送信のための二次セルとして現在構成されていない二次セルを決定してよい。
【０２５７】
任意で、CUは、測定結果に基づいて、第2指示情報内にある、少なくとも1つの第1の二次セル及び少なくとも1つの第1の二次セルの状態を決定してよい。
【０２５８】
測定結果は、S620に記載した測定結果であってよい。測定結果の具体的な内容は、方法500のS520に詳細に記載されている。詳細は、簡略化のために本明細書には再度記載しない。
【０２５９】
従って、CUは、測定結果に基づいて、少なくとも1つの第1の二次セルのアクティブ/非アクティブ状態を決定する。その結果、比較的適切な二次セルが、第1サービングセルセット内の各二次セル内の第1端末装置のアップリンク/ダウンリンク送信状態に基づいて、キャリアアグリゲーションのために選択され得る。さらに、CUは、第1端末装置からの第1プロトコル層の第1測定結果に基づいて決定を行ってよく、又は、第1DUにより報告された第1端末装置の第2プロトコル層の第2測定結果及びアップリンクチャネルの第3測定結果に基づいて決定を行ってよい。これは、決定の妥当性を改善するのに役立つ。
【０２６０】
CUは、代替的に、他の情報に基づいて、第1サービングセルセットにおける各二次セルのアクティブ／非アクティブ状態を決定してよいことが理解されるべきである。CUが第1サービングセルセット内の各二次セルのアクティブ/非アクティブ状態を決定する特定の方法は、基地局が第1サービングセルセット内の各二次セルのアクティブ/非アクティブ状態を決定する特定の従来技術の方法と同じであってよい。本明細書には、簡略化のために詳細を記載しない。
【０２６１】
S650。CUは、第2指示情報を生成し、第2指示情報を第1DUに送信する。第2指示情報は、少なくとも1つの第1の二次セルの状態に関する情報を含む。
【０２６２】
第1サービングセルセット内の少なくとも1つの第1の二次セルのアクティブ／非アクティブ状態を決定した後、CUは、第1サービングセルセット内の少なくとも1つの第1の二次セルのアクティブ／非アクティブ状態を示すために使用される情報(識別を容易にするために第2指示情報として示される)を生成してよい。
【０２６３】
任意で、CUは、第1通信インタフェースによりサポートされるプロトコルに基づいて第2指示情報を生成してよい。例えば、第2指示情報は、F1インタフェース制御プレーン(F1CPとして示される)メッセージ内で搬送されてよく、又はF1インタフェースユーザプレーン(F1UPとして示される)メッセージ内で搬送されてよい。
【０２６４】
CUは、第1通信インタフェースを介して第2指示情報を第1DUに送信し、第1DUは、少なくとも1つの第1の二次セルの状態を決定するために、第1通信インタフェースによりサポートされるプロトコルに基づいて第2指示情報を解析してよい。
【０２６５】
任意で、第2指示情報及び第2構成情報は、同じメッセージ内で搬送されてよい。例えば、第2指示情報及び第2構成情報は、同一のF1インタフェース制御プレーンメッセージ内で搬送されてよい。
【０２６６】
S660。第1DUは、第2指示情報に基づいて第1指示情報を生成し、第1指示情報を第1端末装置に送信する。第1指示情報は、少なくとも1つの第1の二次セルの状態に関する情報を含む。
【０２６７】
第1DUは、各第1の二次セルの第2指示情報内で示される状態に基づいて、第1指示情報を生成してよい。
【０２６８】
第1DUは、第1端末装置に第1指示情報を無線インタフェースを介して送信し、第1端末装置に少なくとも1つの第1の二次セルの状態を通知する。その結果、第1端末装置は、第1サービングセルセット内の少なくとも1つの第1の二次セルの状態を更新し、それにより、第1端末装置のキャリアアグリゲーションを実現する。
【０２６９】
任意で、第1指示情報はMAC  CEで搬送される。
【０２７０】
S660の処理手順は、方法500のS550の処理手順と同一である。詳細は、簡略化のために本明細書には再度記載しない。
【０２７１】
任意で、方法600は、さらに、以下を含む。
【０２７２】
S680。第1DUは、第3指示情報をCUに送信し、第3指示情報は、第1指示情報内にある少なくとも1つの第1の二次セル及び少なくとも1つの第1の二次セルの状態をCUに通知するために使用される。
【０２７３】
言い換えれば、第1端末装置のための少なくとも1つの第1の二次セルのアクティブ/非アクティブ状態を決定した後、第1DUは、CUにアクティブ/非アクティブ状態を通知する。その結果、CUが第1端末装置の二次セルのアクティブ/非アクティブ状態を維持する。
【０２７４】
任意で、第3指示情報は、第1通信インタフェース(例えば、F1インタフェース)によりサポートされるプロトコルに基づいて、第1DUにより生成されてよい。例えば、第3指示情報は、F1インタフェース制御プレーン(F1CPとして示される)メッセージ内で搬送されてよく、さらに、F1インタフェース制御プレーンメッセージは、F1APメッセージである。あるいは、第3指示情報は、F1インタフェースユーザプレーン(F1UPとして示される)メッセージで搬送されてよい。任意で、F1インタフェース制御プレーンメッセージはSCTPのトランスポート層プロトコルで搬送され、F1インタフェースユーザプレーンメッセージはGTP-Uのトランスポート層プロトコルで搬送される。
【０２７５】
クロスサイトキャリアアグリゲーションの場合、第3指示情報は、第3DUにより管理される二次セルをさらに含んでよいことに特に留意されたい。任意で、方法は、さらに、CUにより第4指示情報を第3DUに送信するステップを含み、第4指示情報は、第3DUに対して、第1端末装置のために、第3DUにより管理される二次セルの中で少なくとも1つの二次セルをアクティブ/非アクティブ状態に設定するように指示するために使用される。
【０２７６】
前述のステップを通して、CU及び第1DUは、第1端末装置のためのキャリアアグリゲーション構成を完了する。
【０２７７】
したがって、本願の本実施形態では、CUは、第1プロトコル層においてサービスサービングセルセットを含む第1構成情報を生成し、第1DUを使用することにより、端末装置にサービスサービングセルセットを含む第1構成情報を示す。第1DUは、第2プロトコル層において第1指示情報を生成し、第1指示情報を送信して、少なくとも1つの第1の二次セルのアクティブ/非アクティブ状態を第1端末装置に通知する。その結果、第1指示情報を受信した後、第1端末装置は、二次セルのアクティブ/非アクティブ状態を更新し、アクティブな二次セルを使用してデータを送信してよい。これは、CU-DUアーキテクチャにおける端末装置のためのキャリアアグリゲーションの構成を実装し、端末装置の伝送帯域幅を増加するのを助ける。
【０２７８】
以下は、図7を参照して、本願のさらに別の実施形態において提供される通信方法700を詳細に説明する。図7に示す通信方法700は、図5又は図6に示す通信方法500又は600の後続プロセスであってよく、又は図5又は図6に示す通信方法500又は600と同時に実行されるプロセスであってよいことを理解されたい。これは、本願において特に限定されない。したがって、方法700は、通信方法500又は通信方法600の一部又は全部のステップを含んでよい。本実施形態では、繰り返しを回避するために、通信方法500又は通信方法600におけるステップの説明を省略する。通信方法700では、第1端末装置は、第1DU内の第1セルへのRRC接続を確立したと仮定される。
【０２７９】
図7に示すように、方法700は、以下のステップを含む。
【０２８０】
S710。第1端末装置は、ランダムアクセスプロセスを介して一次二次セルにアクセスし、デュアルコネクティビティ又はマルチコネクティビティ技術を使用して複数の基地局システムと通信する。
【０２８１】
具体的には、第1端末装置が第1DU内の第1セルへのRRC接続を確立した後、第1DUは、RRCメッセージを使用することにより、第1端末装置の一次二次セル及び二次セルを追加してよい。一次二次セルの定義については、既存のプロトコル(例えばLTEプロトコル)の定義を参照のこと。具体的には、一次二次セルは、二次セルグループ(secondary  cell  group,  SCG)の中の、SCG変更プロセスの間に端末装置とのランダムアクセスプロセスを実行するために使用されるセル、又はランダムアクセスプロセスがスキップされるときに初期物理アップリンク共用チャネル(physical  uplink  shared  channel,  PUSCH)送信を実行するために使用されるセルであり得る。第1端末装置は、非競合ベースのランダムアクセスプロセスを介して、一次二次セルにアクセスしてよい。
【０２８２】
方法500及び方法600における前述の記載とは異なり、一次二次セルにアクセスした後、第1端末装置は、第2DUへのRRC接続を確立する必要がないことに留意されたい。換言すれば、第1端末装置は、第2DUにより送信されるMAC層メッセージ(例えば、MAC  CE)及びPHY層メッセージを受信し、第1DUからRRC層メッセージ(例えば、RRCメッセージ)を受信してよい。
【０２８３】
S720。CUは、第1端末装置に第2サービングセルセットを構成し、第2サービングセルセットの構成情報(識別及び記述を容易にするために第4構成情報として示される)を第2DUに送信する。
【０２８４】
具体的には、第4構成情報は、第1端末装置のためにCUにより構成される第2サービングセルセットを含み、第2サービングセルセットは、第2DUにより管理されるセル内にあり、第1端末装置の二次セルとして構成され得るセルのセットであり得る。換言すれば、第1端末装置のためにCUにより構成された候補二次セルにおいて、幾つかの候補二次セルは、第2DUにより管理され得る。したがって、CUは第4構成情報を第2DUに送信し、第2DUはプロトコルスタック構成を実行する。第2DUは、第1端末装置の一次二次セルのDUであることが理解され得る。任意で、第2サービングセルセットは、一次二次セル及び他の二次セルを含む。
【０２８５】
任意で、第4構成情報は、第1通信インタフェース(例えば、F1インタフェース)によりサポートされるプロトコルに基づいて、CUにより生成される。例えば、第4構成情報は、F1インタフェース制御プレーン(F1CPとして示される)メッセージ内で搬送されてよく、さらに、F1インタフェース制御プレーンメッセージは、F1APメッセージである。あるいは、第4構成情報は、F1インタフェースユーザプレーン(F1UPとして示される)メッセージで搬送されてよい。任意で、F1インタフェース制御プレーンメッセージはSCTPのトランスポート層プロトコルで搬送され、F1インタフェースユーザプレーンメッセージはGTP-Uのトランスポート層プロトコルで搬送される。
【０２８６】
第4構成情報に含まれる特定の内容及び第4構成情報の機能は、前述した第2構成情報の内容と同様であり、S720の特定のプロセスは、S520の特定のプロセスと同様である。反復を避けるために、ステップの特定の説明は、ここでは省略される。
【０２８７】
任意で、S720は、代替的に、以下の通りであってよい。第1DUは、第1端末装置のために第2サービングセルセットを構成し、第2のサービングセルセットの構成情報(識別及び説明を容易にするために第5構成情報として示される)をCUに送信する。さらに、任意で、CUは第2肯定応答情報を第1DUに送信する。
【０２８８】
第5構成情報に含まれる特定の内容及び第5構成情報の機能は、前述の第3構成情報の機能と同様であり、第2肯定応答情報に含まれる特定の内容及び第2肯定応答情報の機能は、前述の第1肯定応答メッセージの機能と同様であり、第1DUが第1端末装置に対して第2サービングセルセットを構成する特定のプロセスは、S520の特定のプロセスと同様である。反復を避けるために、ステップの特定の説明は、ここでは省略される。
【０２８９】
さらに、理解を容易にするために、CUが第4構成情報を第2DUに送信するプロセスのみが図示されており、第1DUが第5構成情報をCUに送信するプロセスは図示されていないが、これは本願に限定されるものではないことに留意されたい。
【０２９０】
任意で、方法700は、以下のステップをさらに含む。
【０２９１】
S730。CUは第6構成情報を生成し、第1DUは第6構成情報を第1端末装置に転送する。
【０２９２】
具体的には、第6構成情報は、第1端末装置のためにCUにより構成される第2サービングセルセットを含み、第2サービングセルセットは、第2DUにより管理されるセル内にあり、第1端末装置の二次セルとして構成されるセルのセットであってよい。
【０２９３】
前述の説明から、CUにより第1端末装置に送信される第6構成情報は、第1プロトコル層において生成される情報であることが分かる。本願の本実施形態では、第6構成情報は、RRCメッセージで搬送される。したがって、第6構成情報は、第1DUにより第1端末装置に転送されてよい。具体的には、第1DUは、受信した第6構成情報に対して少なくとも第2プロトコル層の処理を実行し、処理された情報を第1端末装置に転送してよい。
【０２９４】
第6構成情報内で示されている第2サービングセルセットは、前記説明のS720に記載されている第4構成情報に含まれる第2サービングセルセットに対応する。
【０２９５】
任意で、第6構成情報は、第1プロトコル層においてCUにより生成されてよい。例えば、第6構成情報はRRCメッセージで搬送される。
【０２９６】
第6構成情報に含まれる特定の内容及び第6構成情報の機能は、前述した第1構成情報と同様であり、S730の特定のプロセスは、S530の特定のプロセスと同様である。反復を避けるために、ステップの特定の説明は、ここでは省略される。
【０２９７】
S740。第2DUは、第5指示情報を生成し、第1端末装置に第5指示情報を送信する。
【０２９８】
具体的には、第5指示情報は、少なくとも1つの第1の二次セルの状態に関する情報を含む。第5指示情報は、少なくとも1つの第1の二次セルの状態を更新するように第1端末装置に指示するために使用される。第5指示情報内の少なくとも1つの第1の二次セルは、第2サービングセルセット内の全部又は一部の二次セルであることが理解され得る。第1の二次セルと第2サービングセルセットとの間の関係については、方法500における第1の二次セルと第1サービングセルセットとの間の関係についての前述の説明を参照されたい。反復を回避するために、詳細は、ここでは再度説明されない。
【０２９９】
本願の本実施形態では、各二次セル及びその状態は、第2サービングセルセット(方法600ではS640に対応し得る)からCUにより決定され得るか、又は第2サービングセルセット(方法500ではS540に対応し得る)から第2DUにより決定され得る。
【０３００】
さらに、CU又は第2DUは、測定結果に基づいて各二次セルの状態を決定してよい。
【０３０１】
任意で、測定結果の特定の内容は、以下の少なくとも1つを含んでよい:
第1端末装置からの第1プロトコル層の第1測定結果、
第1端末装置からの第3プロトコル層の第2測定結果、
第2DUにより報告されるアップリンクチャネルの第3測定結果であって、第1端末装置の信号に基づいて測定することにより取得されたもの。
【０３０２】
第1プロトコル層は第2プロトコル層より上のプロトコル層である。本願の本実施形態では、限定ではなく例として、第1プロトコル層は、RRC層又は類似の無線リソース管理機能を有するプロトコル層であってよい。第3プロトコル層は、PHY層であってよく、データ伝送のための物理リソースを提供するための同様の機能を有するプロトコル層であってよい。
【０３０３】
任意で、第5の指示情報は、第2プロトコル層において第2DUにより生成されてよい。例えば、第5指示情報は、第2DUから第1端末装置に送信されたMAC  CEで搬送される。
【０３０４】
第5指示情報の特定の内容及び機能は、前述した第1指示情報の内容及び機能と同様であり、S740の特定のプロセスは、S540又はS640の特定のプロセスと同様であってよい。反復を避けるために、ステップの特定の説明は、ここでは省略される。
【０３０５】
任意で、方法700は、以下のステップをさらに含む。
【０３０６】
S750。第2DUは、第6指示情報をCUに送信する。この場合、第6指示情報は、第5指示情報に含まれる少なくとも1つの第1の二次セル及び少なくとも1つの第1の二次セルの状態をCUに通知するために使用される。
【０３０７】
任意で、第6指示情報は、第1通信インタフェース(例えば、F1インタフェース)によりサポートされるプロトコルに基づいて、第2DUにより生成されてよい。例えば、第6指示情報は、F1インタフェース制御プレーン(F1CPとして示される)メッセージ内で搬送されてよく、さらに、F1インタフェース制御プレーンメッセージは、F1APメッセージである。あるいは、第6指示情報は、F1インタフェースユーザプレーン(F1UPとして示される)メッセージで搬送されてよい。任意で、F1インタフェース制御プレーンメッセージはSCTPのトランスポート層プロトコルで搬送され、F1インタフェースユーザプレーンメッセージはGTP-Uのトランスポート層プロトコルで搬送される。
【０３０８】
第6指示情報の特定の内容及び機能は、前述の説明に記載された第3指示情報の内容及び機能と同様であり、ステップの特定の処理については、前述の説明において詳細に説明した。反復を避けるために、ステップの特定の説明は、ここでは省略される。
【０３０９】
前述のステップを通して、CU、第1DU、及び第2DUは、デュアルコネクティビティ又はマルチコネクティビティシナリオにおける第1端末装置のためのキャリアアグリゲーション構成を完了する。
【０３１０】
したがって、本願の本実施形態では、CUは、第1プロトコル層において第2サービングセルセットを含む第4構成情報を生成し、第2DUを使用して、第1端末装置に第2サービスサービングセルセットを含む第4構成情報を示し、第2DUは、第2プロトコル層において第5指示情報を生成し、第5指示情報を送信して、第1端末装置に少なくとも1つの第1の二次セルのアクティブ/非アクティブ状態を通知する。その結果、第5指示情報を受信した後、第1端末装置は、アクティブな二次セルを使用してデータを送信してよい。これは、CU-DUアーキテクチャにおける端末装置のためのキャリアアグリゲーションの構成を実装し、端末装置の伝送帯域幅を増加するのを助ける。さらに、方法は、マルチコネクティビティ又はデュアルコネクティビティシナリオにも適用可能であり、これは、端末装置の伝送帯域幅を増加させ、移動ロバスト性を改善するのに役立つ。
【０３１１】
前述のプロセスのシーケンス番号は、本願の種々の実施態様における実行シーケンスを意味しないことを理解されたい。プロセスの実行シーケンスは、プロセスの機能及び内部論理に基づいて決定されるべきであり、本願の実施態様の実施プロセスに対する制限と解釈されるべきではない。
【０３１２】
以上は、図5から図7を参照して、本願の実施形態における通信方法を詳細に説明した。以下は、図8から図12を参照して、本願の実施形態における装置を詳細に説明する。
【０３１３】
本願の一実施形態は、ネットワークノードを提供する。以下は、図8を参照して、ネットワークノードの構造及び機能を説明する。図8は、本願の本実施形態で提供されるネットワークノード10の概略ブロック図である。図8に示すように、ネットワークノード10は、受信機11、送信機12、及びプロセッサ13を含む。任意で、ネットワークノード10は、メモリ14をさらに含む。受信機11、送信機12、プロセッサ13、及びメモリ14は、制御信号及び／又はデータ信号を転送するために、内部接続経路を介して互いに通信する。メモリ14は、コンピュータプログラムを記憶するように構成される。プロセッサ13は、メモリ14からコンピュータプログラムを起動し、コンピュータプログラムを実行して、受信機11を制御して信号を受信し、送信機12を制御して信号を送信するように構成されている。メモリ14に記憶されたプログラム命令がプロセッサ13により実行されると、受信機11は、第2ネットワークノードから第1構成情報を受信するように構成される。第1構成情報は、端末装置のために構成されたサービングセルセットを含み、サービングセルセットは、少なくとも1つの二次セルを含む。第1構成情報は、さらに、二次セルの状態を示し、二次セルの状態は、アクティブ状態又は非アクティブ状態である。第1構成情報は、第1プロトコル層において第2ネットワークノードにより生成される。
【０３１４】
送信機12は、第1構成情報を端末装置に送信するように構成される。
【０３１５】
送信機12は、第1指示情報を送信するようにさらに構成される。第1指示情報は、少なくとも1つの第1の二次セルの状態に関する情報を含み、第1の二次セルは、サービングセルセットに属し、第1指示情報は、第2プロトコル層において第1ネットワークノードにより生成される。
【０３１６】
プロセッサ13及びメモリ14は、処理装置へと結合されてよい。プロセッサ13は、上記機能を実現するために、メモリ14に記憶されたプログラムコードを実行するように構成されている。特定の実装の間、メモリ14は、プロセッサ13に統合され、又はプロセッサ13とは独立してよい。
【０３１７】
ネットワークノード10は、本発明の実施形態で提供される通信方法500又は600における第1DUに対応してよく、ネットワークノード10は、図5の通信方法500又は図6の通信方法600における第1DUにより実行される方法を実行するように構成されたモジュールを含んでよいことを理解されたい。さらに、ネットワークノード10のモジュールと、前述の他の動作及び／又は機能とは、図5の通信方法500又は図6の通信方法600の対応するプロセスを別々に実装するためのものである。モジュールが前述の対応するステップを実行する特定のプロセスについては、図5及び図6を参照する方法の実施形態における前述の説明を参照すること。簡潔にするために、詳細はここでは再度説明しない。
【０３１８】
本願の一実施形態は、さらに、ネットワークノードを提供する。以下は、図9を参照して、ネットワークノードの構造及び機能を説明する。図9は、本願の本実施形態において提供されるネットワークノード20の別の概略ブロック図である。図9に示すように、ネットワークノード10は、受信モジュール21及び送信モジュール22を含む。
【０３１９】
受信モジュール21及び送信モジュール22は、ソフトウェア又はハードウェアにより実装されてよい。受信モジュール21及び送信モジュール22がハードウェアにより実装されるとき、受信モジュール21は図8の受信機11であってよく、送信モジュール22は図8の送信機12であってよい。
【０３２０】
本願の一実施形態は、さらに、ネットワークノードを提供する。以下は、図10を参照して、ネットワークノードの構造及び機能を説明する。図10は、本願の本実施形態におけるネットワークノード30の概略ブロック図である。図10に示すように、ネットワークノード30は、受信機31、送信機32、及びプロセッサ32を含む。任意で、ネットワークノード30は、メモリ34をさらに含む。受信機31、送信機32、プロセッサ33、及びメモリ34は、制御信号及び／又はデータ信号を転送するために、内部接続経路を介して互いに通信する。メモリ34は、コンピュータプログラムを記憶するように構成される。プロセッサ33は、受信機31を制御して信号を受信し、送信機32を制御して信号を送信するために、コンピュータプログラムをメモリ34から起動し、コンピュータプログラムを実行するように構成されている。メモリ34に記憶されたプログラム命令がプロセッサ33により実行されると、送信機32は第1構成情報を第1ネットワークノードに送信するように構成される。第1構成情報は、端末装置のために構成されたサービングセルセットを含み、サービングセルセットは、少なくとも1つの二次セルを含む。第1構成情報は、さらに、二次セルの状態を示し、二次セルの状態は、アクティブ状態又は非アクティブ状態である。第1構成情報は、第1プロトコル層においてネットワークノードにより生成される。送信機32はさらに、第2構成情報を第1ネットワークノードに送信するように構成される。第2構成情報は、端末装置のためにネットワークノードにより構成されたサービングセルセットの、二次セル識別情報と二次セルインデックスとを含む。
【０３２１】
プロセッサ33及びメモリ34は、処理装置へと結合されてよい。プロセッサ33は、上記機能を実現するために、メモリ34に記憶されたプログラムコードを実行するように構成される。特定の実装の間、メモリ34は、プロセッサ33に統合され、又はプロセッサ33とは独立してよい。
【０３２２】
ネットワークノード30は、本発明の実施形態で提供される通信方法500又は600におけるCUに対応してよく、ネットワークノード30は、図5の通信方法500又は図6の通信方法600におけるCUにより実行される方法を実行するように構成されたモジュールを含んでよいことを理解されたい。さらに、ネットワークノード30のモジュール及び前述の他の動作及び／又は機能は、図5の通信方法500又は図6の通信方法600の対応するプロセスを別々に実施するためのものである。モジュールが前述の対応するステップを実行する特定のプロセスについては、図5及び図6を参照する方法の実施形態における前述の説明を参照すること。簡潔にするために、詳細はここでは再度説明しない。
【０３２３】
本願の一実施形態は、さらに、ネットワークノードを提供する。以下は、図11を参照して、ネットワークノードの構造及び機能を説明する。図11は、本願の一実施形態による、ネットワークノード40の別の概略ブロック図である。図11に示すように、ネットワークノード40は、送信モジュール41及び処理モジュール42を含む。
【０３２４】
送信モジュール41は、ソフトウェア又はハードウェアにより実現されてよい。送信モジュール41がハードウェアにより実装されるとき、送信モジュール41は、図10の送信機32であってよい。
【０３２５】
本願の実施形態において、プロセッサは、中央処理装置(central  processing  unit,  CPU)であってよく、又はプロセッサは、別の汎用プロセッサ、デジタル信号プロセッサ(digital  signal  processor,  DSP)、特定用途向け集積回路(application-specific  integrated  circuit,  ASIC)、フィールドプログラマブルゲートアレイ(field  programmable  gate  array,  FPGA)又は別のプログラマブル論理装置、個別ゲート又はトランジスタ論理装置、個別ハードウェアコンポーネントなどであってよいことを理解されたい。汎用プロセッサはマイクロプロセッサであってよく、又はプロセッサは任意の従来のプロセッサであってよい、等である。
【０３２６】
本願の実施形態におけるメモリは、揮発性メモリ又は不揮発性メモリであってよく、又は揮発性メモリ及び不揮発性メモリを含んでよいことをさらに理解されたい。不揮発性メモリは、読み出し専用メモリ(Read-Only  Memory,  ROM)、プログラマブル読み出し専用メモリ(programmable  ROM,  PROM)、消去可能プログラマブル読み出し専用メモリ(erasable  PROM,  EPROM)、電気的消去可能プログラマブル読み出し専用メモリ(electrically  EPROM,  EEPROM)、又はフラッシュメモリであってよい。揮発性メモリは、ランダムアクセスメモリ(Random  Access  Memory,  RAM)であってよく、外部キャッシュとして使用される。例えば、スタティックランダムアクセスメモリ(static  RAM,  SRAM)、ダイナミックランダムアクセスメモリ(DRAM)、同期ダイナミックランダムアクセスメモリ(synchronous  DRAM,  SDRAM)、ダブルデータレート同期ダイナミックランダムアクセスメモリ(double  data  rate  SDRAM,  DDR  SDRAM)、拡張同期ダイナミックランダムアクセスメモリ(enhanced  SDRAM,  ESDRAM)、同期リンクダイナミックランダムアクセスメモリ(synchlink  DRAM,  SLDRAM)、及びダイレクトランバスランダムアクセスメモリ(direct  rambus  RAM,  DR  RAM)などの多くの形式のランダムアクセスメモリ(random  access  memory,  RAM)が使用されてよい。
【０３２７】
本願の一実施形態は、さらに、無線アクセスネットワークシステムを提供する。図12は、本願の本実施形態における無線アクセスネットワークシステム50の概略ブロック図である。図12に示すように、無線アクセスネットワークシステム50は、第1ネットワークノードと第2ネットワークノードとを含む。第1ネットワークノードは、図8に示すネットワークノード10であってよく、第2ネットワークノードは、図10に示すネットワークノード30であってよく、又は、第1ネットワークノードは、図9に示すネットワークノード20であってよく、第2ネットワークノードは、図11に示すネットワークノード40であってよい。
【０３２８】
前述の実施形態の全て又は一部は、ソフトウェア、ハードウェア、ファームウェア、又はそれらの任意の組み合わせを介して実装することができる。ソフトウェアを使用して実施形態を実現する場合、前述の実施形態は、コンピュータプログラムプロダクトの形態で、全体的又は部分的に実現することができる。コンピュータプログラムプロダクトは、1つ以上のコンピュータ命令を含む。コンピュータプログラム命令がコンピュータ上でロード又は実行されると、本発明の実施形態に係る手順又は機能の全部又は一部が生成される。コンピュータは、汎用コンピュータ、専用コンピュータ、コンピュータネットワーク、又は他のプログラム可能な装置であってよい。コンピュータ命令は、コンピュータ読取可能な記憶媒体に記憶されてよく、又はコンピュータ読取可能な記憶媒体から別のコンピュータ読取可能な記憶媒体に送信されてよい。例えば、コンピュータ命令は、ウェブサイト、コンピュータ、サーバ、又はデータセンターから他のウェブサイト、コンピュータ、サーバ、又はデータセンターに、有線(例えば、赤外線、ラジオ、及びマイクロ波)方式で送信されてよい。コンピュータ可読記憶媒体は、コンピュータによりアクセス可能な任意の使用可能な媒体、又は1つ以上の使用可能な媒体を統合するサーバ又はデータセンターなどのデータ記憶装置であってよい。使用可能な媒体は、磁気媒体(例えば、フロッピーディスク、ハードディスク、又は磁気テープ)、光媒体(例えば、DVD)、又は半導体媒体であり得る。半導体媒体は、固体ドライブであってよい。
【０３２９】
本明細書中の用語「及び／又は」は、関連するオブジェクトを記述するための関連付け関係のみを記述し、3つの関係が存在し得ることを表すことは理解されるべきである。例えば、A及び／又はBは、Aのみが存在し、A及びBの両方が存在し、Bのみが存在するという3つの場合を表す。さらに、本明細書の文字「/」は、一般に関連するオブジェクト間の「又は」の関係を示す。
【０３３０】
当業者は、本明細書に開示された実施形態を参照して説明された実施例におけるユニット及びアルゴリズムのステップは、電子ハードウェア又はコンピュータソフトウェアと電子ハードウェアの組み合わせにより実施され得ることを認識するであろう。機能がハードウェアかソフトウェアにより実行されるかは、特定の用途と技術的ソリューションの設計上の制約に依存する。当業者であれば、特定の用途ごとに、記載された機能を実現するために異なる方法を用いることができるが、その実現が本願の範囲を超えるものであると考えるべきではない。
【０３３１】
当業者であれば、便利で簡単な説明のために、システム、装置、及びユニットの詳細な作業プロセスについて、方法の実施形態における対応するプロセスを参照することができることを明確に理解することができる。詳細は、ここでは再度説明しない。
【０３３２】
本願で提供される幾つかの実施形態では、開示されたシステム、装置、及び方法は、他の方法で実施され得ることを理解されたい。例えば、記載された装置の実施形態は、単なる一例である。例えば、単位分割は、単なる論理的機能分割であり、実際の実装においては他の分割であってよい。例えば、複数のユニット又は構成要素は、別のシステムに結合又は統合されてよく、或いは幾つかの特徴は、無視され或いは実行されなくてよい。加えて、表示又は説明された相互結合、直接結合、又は通信接続は、幾つかのインタフェースを使用することにより実現されてよい。装置又はユニット間の間接的なカップリング又は通信接続は、電子的、機械的、又は他の形態で実施されてよい。
【０３３３】
別個の部品として記載されるユニットは、物理的に分離されていてよく、また、ユニットとして表示される部品は、物理的ユニットであってもなくてよく、1つの位置に配置されていてよく、又は複数のネットワークユニット上に分散されていてよい。ユニットの一部又は全ては、実施形態の解決策の目的を達成するために、実際の要件に基づいて選択されてよい。
【０３３４】
さらに、本願の実施形態における機能ユニットは、1つの処理ユニットに統合されてよく、又はユニットの各々は、物理的に単独で存在してよく、又は2つ以上のユニットが1つのユニットに統合されてよい。
【０３３５】
これらの機能がソフトウェア機能単位の形態で実装され、独立した製品として販売又は使用される場合、これらの機能は、コンピュータ読取可能な記憶媒体に記憶することができる。このような理解に基づいて、本願の技術的ソリューションは、本質的に、先行技術に貢献する部分、又は技術的ソリューションのいくつかは、ソフトウェアプロダクトの形態で実施することができる。コンピュータソフトウェアプロダクトは、記憶媒体に記憶され、コンピュータ装置(パーソナルコンピュータ、サーバ、ネットワーク装置などであってよい)に、本願の実施形態に記載される方法の全部又は一部のステップを実行するように指示するための幾つかの命令を含む。前述の記憶媒体は、USBフラッシュドライブ、リムーバブルハードディスク、リードオンリーメモリ、ランダムアクセスメモリ、磁気ディスク、又はコンパクトディスクのようなプログラムコードを記憶することができる任意の媒体を含む。
【０３３６】
前述の説明は、本願の単なる具体的な実装であるが、本願の保護範囲を制限することを意図するものではない。本願に開示された技術的範囲内で、当業者が容易に理解することができる変更又は代替は、本願の保護範囲に含まれる。したがって、本願の保護範囲は、特許請求の範囲の保護範囲に従うものとする。
【図１】
2020523895.tif 000003
【図２】
2020523895.tif 000004
【図３Ａ】
2020523895.tif 000005
【図３Ｂ】
2020523895.tif 000006
【図４】
2020523895.tif 000007
【図５】
2020523895.tif 000008
【図６】
2020523895.tif 000009
【図７】
2020523895.tif 000010
【図８】
2020523895.tif 000011
【図９】
2020523895.tif 000012
【図１０】
2020523895.tif 000013
【図１１】
2020523895.tif 000014
【図１２】
2020523895.tif 000015
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
通信方法であって、前記方法が、第1ネットワークノードと第2ネットワークノードとを含む無線アクセスネットワークシステムに適用され、前記第1ネットワークノードが、第1通信インタフェースを介して前記第2ネットワークノードと通信し、前記方法は、
前記第1ネットワークノードにより、前記第2ネットワークノードから第1構成情報を受信するステップであって、前記第1構成情報は、端末装置のために構成されたサービングセルセットを含み、前記サービングセルセットは、少なくとも1つの二次セルを含み、前記第1構成情報は、前記少なくとも1つの二次セルの状態をさらに示し、前記少なくとも1つの二次セルの前記状態は、アクティブ状態又は非アクティブ状態であり、前記第1構成情報は、第1プロトコル層において前記第2ネットワークノードにより生成される、ステップと、
前記第1ネットワークノードにより、前記端末装置に前記第1構成情報を送信するステップと、
前記第1ネットワークノードにより、前記端末装置に第1指示情報を送信するステップであって、前記第1指示情報は、少なくとも1つの第1の二次セルの状態に関する情報を含み、前記少なくとも1つの第1の二次セルは、前記サービングセルセットに属し、前記第1指示情報は、第2プロトコル層において前記第1ネットワークノードにより生成される、ステップと、
を含む方法。
【請求項２】
前記方法が、さらに、
前記第1ネットワークノードにより、前記第1指示情報内の前記少なくとも1つの第1の二次セルの前記状態を決定するステップ、
を含む請求項1に記載の方法。
【請求項３】
前記方法は、さらに、
前記第1ネットワークノードにより、前記第2ネットワークノードから第2構成情報を受信するステップであって、前記第2構成情報は、前記端末装置のために前記第2ネットワークノードにより構成された前記サービングセルセットの二次セル識別情報及び二次セルインデックスを含む、ステップ、
を含む請求項1又は2に記載の方法。
【請求項４】
少なくとも前記第1プロトコル層は前記第2ネットワークノードに配備され、少なくとも前記第2プロトコル層及び第3プロトコル層は前記第1ネットワークノードに配備され、
前記第1プロトコル層は無線リソース制御RRC層であり、前記第2プロトコル層は媒体アクセス制御MAC層であり、前記第3プロトコル層は物理PHY層である、
請求項1〜3のいずれか一項に記載の方法。
【請求項５】
通信方法であって、前記方法が、第1ネットワークノードと第2ネットワークノードとを含む無線アクセスネットワークシステムに適用され、前記第1ネットワークノードが、第1通信インタフェースを介して前記第2ネットワークノードと通信し、前記方法は、
前記第2ネットワークノードにより、第1構成情報を前記第1ネットワークノードに送信するステップであって、前記第1構成情報は、端末装置のために構成されたサービングセルセットを含み、前記サービングセルセットは、少なくとも1つの二次セルを含み、前記第1構成情報は、前記少なくとも1つの二次セルの状態をさらに示し、前記少なくとも1つの二次セルの前記状態は、アクティブ状態又は非アクティブ状態であり、前記第1構成情報は、第1プロトコル層において前記第2ネットワークノードにより生成される、ステップと、
前記第2ネットワークノードにより、前記第1ネットワークノードに第2構成情報を送信するステップであって、前記第2構成情報は、前記端末装置のために前記第2ネットワークノードにより構成された前記サービングセルセットの二次セル識別情報及び二次セルインデックスを含む、ステップと、
を含む方法。
【請求項６】
前記第2構成情報は、前記少なくとも1つの二次セルの前記状態をさらに示し、前記少なくとも1つの二次セルの前記状態は、前記アクティブ状態又は前記非アクティブ状態である、請求項5に記載の方法。
【請求項７】
前記方法は、さらに、
前記第2ネットワークノードにより、測定結果に基づいて前記サービングセルセットを決定するステップ、
を含む請求項5又は6に記載の方法。
【請求項８】
少なくとも前記第1プロトコル層は前記第2ネットワークノードに配備され、少なくとも第2プロトコル層及び第3プロトコル層は前記第1ネットワークノードに配備され、
前記第1プロトコル層は無線リソース制御RRC層であり、前記第2プロトコル層は媒体アクセス制御MAC層であり、前記第3プロトコル層は物理PHY層である、
請求項5〜7のいずれか一項に記載の方法。
【請求項９】
通信装置であって、前記装置は、当該装置と第2ネットワークノードとを含む無線アクセスネットワークシステムに適用され、当該装置は、第1通信インタフェースを介して前記第2ネットワークノードと通信し、当該装置は、少なくとも1つのプロセッサとメモリとを含み、前記少なくとも1つのプロセッサは前記メモリからの命令を実行して、
前記第2ネットワークノードから第1構成情報を受信するステップであって、前記第1構成情報は、端末装置のために構成されたサービングセルセットを含み、前記サービングセルセットは、少なくとも1つの二次セルを含み、前記第1構成情報は、前記少なくとも1つの二次セルの状態をさらに示し、前記少なくとも1つの二次セルの前記状態は、アクティブ状態又は非アクティブ状態であり、前記第1構成情報は、第1プロトコル層において前記第2ネットワークノードにより生成される、ステップと、
前記端末装置に前記第1構成情報を送信するステップと、
前記端末装置に第1指示情報を送信するステップであって、前記第1指示情報は、少なくとも1つの第1の二次セルの状態に関する情報を含み、前記少なくとも1つの第1の二次セルは、前記サービングセルセットに属し、前記第1指示情報は、第2プロトコル層において当該装置により生成される、ステップと、
を実行するように構成される、装置。
【請求項１０】
前記少なくとも１つのプロセッサは、前記メモリからの命令を実行して、
前記第1指示情報の中の前記少なくとも1つの第１の二次セルの前記状態を決定するステップ、を実行するように構成される、請求項9に記載の装置。
【請求項１１】
前記少なくとも１つのプロセッサは、前記メモリからの命令を実行して、
前記第2ネットワークノードから第2構成情報を受信するステップであって、前記第2構成情報は、前記端末装置のために前記第2ネットワークノードにより構成された前記サービングセルセットの二次セル識別情報及び二次セルインデックスを含む、ステップ、
を実行するように構成される、請求項9に記載の装置。
【請求項１２】
少なくとも前記第1プロトコル層は前記第2ネットワークノードに配備され、少なくとも前記第2プロトコル層及び第3プロトコル層は当該装置に配備され、前記第1プロトコル層は無線リソース制御RRC層であり、前記第2プロトコル層は媒体アクセス制御MAC層であり、前記第3プロトコル層は物理PHY層である、請求項9に記載の装置。
【請求項１３】
通信装置であって、前記装置は、第1ネットワークノードと当該装置とを含む無線アクセスネットワークシステムに適用され、前記第1ネットワークノードは、第1通信インタフェースを介して当該装置と通信し、当該装置は、少なくとも1つのプロセッサとメモリとを含み、前記少なくとも1つのプロセッサは前記メモリからの命令を実行して、
前記第1ネットワークノードに第1構成情報を送信するステップであって、前記第1構成情報は、端末装置のために構成されたサービングセルセットを含み、前記サービングセルセットは、少なくとも1つの二次セルを含み、前記第1構成情報は、前記少なくとも1つの二次セルの状態をさらに示し、前記少なくとも1つの二次セルの前記状態は、アクティブ状態又は非アクティブ状態であり、前記第1構成情報は、第1プロトコル層において当該装置により生成される、ステップと、
前記第1ネットワークノードに第2構成情報を送信するステップであって、前記第2構成情報は、前記端末装置のために当該装置により構成された前記サービングセルセットの二次セル識別情報と二次セルインデックスとを含む、ステップと、
を実行するように構成される、装置。
【請求項１４】
前記第2構成情報は、前記少なくとも1つの二次セルの前記状態をさらに示し、前記少なくとも1つの二次セルの前記状態は、前記アクティブ状態又は前記非アクティブ状態である、請求項13に記載の装置。
【請求項１５】
前記少なくとも１つのプロセッサは、前記メモリからの命令を実行して、
測定結果に基づき、前記サービングセルセットを決定するステップ、を実行するように構成される、請求項13に記載の装置。
【請求項１６】
少なくとも前記第1プロトコル層は当該装置に配備され、少なくとも第2プロトコル層及び第3プロトコル層は前記第1ネットワークノードに配備され、前記第1プロトコル層は無線リソース制御RRC層であり、前記第2プロトコル層は媒体アクセス制御MAC層であり、前記第3プロトコル層は物理PHY層である、請求項13に記載の装置。
【請求項１７】
コンピュータプログラム記憶媒体であって、ネットワークノードに適用され、プログラムコードを含み、前記プログラムコードが実行されると、前記ネットワークノードに請求項１〜4のいずれか一項に記載の方法を実行させる、コンピュータプログラム記憶媒体。
【請求項１８】
コンピュータプログラム記憶媒体であって、ネットワークノードに適用され、プログラムコードを含み、前記プログラムコードが実行されると、前記ネットワークノードに請求項5〜8のいずれか一項に記載の方法を実行させる、コンピュータプログラム記憶媒体。
【請求項１９】
通信システムであって、前記システムは、第1ネットワークノードと第2ネットワークノードとを含む無線アクセスネットワークシステムに適用され、前記第1ネットワークノードが、第1通信インタフェースを介して前記第2ネットワークノードと通信し、
前記第2ネットワークノードは、前記第1ネットワークノードに第1構成情報を送信するように構成され、前記第1構成情報は、端末装置のために構成されたサービングセルセットを含み、前記サービングセルセットは、少なくとも1つの二次セルを含み、前記第1構成情報は、前記少なくとも1つの二次セルの状態をさらに示し、前記少なくとも1つの二次セルの前記状態は、アクティブ状態又は非アクティブ状態であり、前記第1構成情報は、第1プロトコル層において前記第2ネットワークノードにより生成され、
前記第1ネットワークノードは、前記端末装置に前記第1構成情報を送信するように構成され、
前記第1ネットワークノードは、前記端末装置に第1指示情報を送信するように構成され、前記第1指示情報は、少なくとも1つの第1の二次セルの状態に関する情報を含み、前記少なくとも1つの第1の二次セルは、前記サービングセルセットに属し、前記第1指示情報は、第2プロトコル層において前記第1ネットワークノードにより生成される、
システム。
【請求項２０】
前記第1ネットワークノードは、前記第1指示情報内の前記少なくとも1つの第1の二次セルの前記状態を決定するように構成される、請求項19に記載のシステム。
【請求項２１】
前記第2ネットワークノードは、前記第1ネットワークノードに第2構成情報を送信するように構成され、前記第2構成情報は、前記端末装置のために前記第2ネットワークノードにより構成された前記サービングセルセットの二次セル識別情報及び二次セルインデックスを含む、請求項19又は20に記載のシステム。
【請求項２２】
少なくとも前記第1プロトコル層は前記第2ネットワークノードに配備され、少なくとも前記第2プロトコル層及び第3プロトコル層は前記第1ネットワークノードに配備され、前記第1プロトコル層は無線リソース制御RRC層であり、前記第2プロトコル層は媒体アクセス制御MAC層であり、前記第3プロトコル層は物理PHY層である、
請求項19〜21のいずれか一項に記載のシステム。
【手続補正２】
【補正対象書類名】明細書
【補正対象項目名】０１１４
【補正方法】変更
【補正の内容】
【０１１４】
分割方法2:PDCP層とRLC層との間で分割を行う。具体的には、RRC層とPDCP層がCUに配置され、RLC層の上層部分とRLC層の上層部分より下のプロトコル層がDUに配置される。
【手続補正３】
【補正対象書類名】明細書
【補正対象項目名】０１９７
【補正方法】変更
【補正の内容】
【０１９７】
CUは、第1通信インタフェースを介して第3構成情報を受信してよい。例えば、CUは、F1APに基づいて第3構成情報を取得する。
【国際調査報告】
2020523895.tif 000016
2020523895.tif 000017
2020523895.tif 000018
2020523895.tif 000019